(57)【要約】【課題】高品位の表示装置を提供する。【解決手段】実施形態によれば、複数の第１〜第３配線と、複数のスイッチ素子と、複数の画素電極と、表示層と、制御部と、を備えた表示装置が提供される。第１配線は、第１方向に延在する。第２、第３配線は、第２方向に延在する。スイッチ素子は、第１配線及び第２配線と接続される。画素電極はスイッチ素子と接続される。表示層は、画素電極に与えられる電気信号に基づいて光学動作を行う。制御部は、表示期間において、第１配線を選択電位に設定しつつ第２配線に画像信号を供給して、選択画素電極を画像電位に設定し、第３配線を表示対向電位に設定する第１動作を実施する。制御部は、非表示期間において、第２配線の電位を、第３配線の電位と同じにする第２動作を実施する。【選択図】図１
2015172724.tif 000002
【特許請求の範囲】
【請求項１】
第１方向に延在し前記第１方向と交差する第２方向に並ぶ複数の第１配線と、
前記第２方向に延在し前記第１方向に並ぶ複数の第２配線と、
それぞれが前記複数の第１配線のいずれか及び前記複数の第２配線のいずれかと電気的に接続された複数のスイッチ素子と、
それぞれが前記複数のスイッチ素子のそれぞれと電気的に接続された複数の画素電極と、
前記第２方向に延在し前記第１方向に並ぶ複数の第３配線と、
前記複数の画素電極に与えられる電気信号に基づいて、光学特性の変化と、発光と、の少なくともいずれかの光学動作を行う表示層と、
前記第２配線と前記第３配線との間に接続された１つ以上のスイッチを含む制御部と、
を備えた表示装置。
【請求項２】
前記第３配線との間に容量を形成する複数の第４配線をさらに備え、
前記制御部は、前記第３配線にタッチ検出用パルス信号を印加し、前記第４配線の出力に基づき物体の接触または近接を検知する、請求項１記載の表示装置。
【請求項３】
前記制御部は、
表示期間において、前記複数の第１配線のいずれかを選択電位に設定しつつ前記複数の第２配線に画像信号を供給して、前記複数のスイッチ素子のうちの前記選択電位が設定された前記第１配線と電気的に接続された選択スイッチ素子を介して、前記複数の画素電極のうちの前記選択スイッチ素子と電気的に接続された選択画素電極を前記画像信号に基づく画像電位に設定し、前記複数の第３配線のいずれかを表示対向電位に設定する第１動作と、
非表示期間において、前記複数の第２配線の少なくともいずれかの電位を、前記複数の第３配線のいずれかの電位と同じにする第２動作と、
を実施する請求項２記載の表示装置。
【請求項４】
前記制御部は、
前記表示対向電位に設定される表示対向電位線と、
ソース回路と、
セレクタスイッチと、
コモンセレクタと、
を含み、
前記第１動作において、前記セレクタスイッチは、前記ソース回路と、前記複数の第２配線のそれぞれと、を電気的に接続し、前記コモンセレクタは、前記表示対向電位線と、前記複数の第３配線のそれぞれと、を電気的に接続し、
前記第２動作において、前記セレクタスイッチは、前記ソース回路を前記複数の第２配線のそれぞれと電気的に遮断し、前記コモンセレクタは、前記複数の第３配線の少なくともいずれかと前記複数の第２配線の少なくともいずれかとを電気的に接続する請求項３記載の表示装置。
【請求項５】
前記複数の第２配線は、第１信号線を含み、
前記複数の第３配線は、第１コモン線を含み、
前記制御部は、
前記表示対向電位に設定される表示対向電位線と、
前記表示対向電位とは異なる電位に設定される検知電位線と、
一端が前記検知電位線と電気的に接続された第１検知電位スイッチと、
一端が前記第１信号線と電気的に接続され他端が前記第１検知電位スイッチの他端と電気的に接続された第１信号線スイッチと、
一端が前記第１信号線と電気的に接続され他端が前記第１コモン線と電気的に接続された第１コモンセレクタと、
一端が前記第１コモンセレクタの前記他端及び前記第１コモン線と電気的に接続され、前記第１コモン線を前記第１検知電位スイッチの他端、及び、前記表示対向電位線のいずれかと電気的に接続する第２コモンセレクタと、
を含み、
前記第２動作において、
前記第１検知電位スイッチは、前記検知電位線と前記第２コモンセレクタとを電気的に接続し、
前記第１信号線スイッチは、前記第１信号線を前記第１検知電位スイッチの前記他端と電気的に遮断し、
前記第１コモンセレクタは、前記第１信号線と前記第１コモン線とを電気的に接続し、
前記第２コモンセレクタは、前記第１コモン線を前記第１検知電位スイッチの他端、及び、前記表示対向電位線のいずれかに繰り返し交互に電気的に接続する請求項３記載の表示装置。
【請求項６】
前記制御部は、
前記画像信号の一部の信号を出力可能な第１ソース回路と、
一端が前記第１ソース回路に電気的に接続可能で他端が前記第１検知電位スイッチの前記他端と電気的に接続された第１ソーススイッチと、
をさらに含み、
前記第１動作において、
前記第１検知電位スイッチは、前記検知電位線を前記第２コモンセレクタと電気的に遮断し、
前記第１ソース回路は、前記画像信号の前記一部の信号を出力し、
前記第１ソーススイッチは、前記第１ソース回路と前記第１信号線スイッチの前記他端とを電気的に接続し、
前記第１信号線スイッチは、前記第１ソーススイッチの前記他端と前記第１信号線とを電気的に接続し、
前記第１コモンセレクタは、前記第１信号線の他端を前記第２コモンセレクタと電気的に遮断し、
前記第２コモンセレクタは、前記第１コモン線と前記表示対向電位線とを電気的に接続する請求項５記載の表示装置。
【請求項７】
前記第２動作において、
前記第１ソーススイッチは、前記第１ソース回路を前記第１信号線スイッチの前記他端と電気的に遮断する請求項６記載の表示装置。
【請求項８】
前記複数の第２配線は、第２信号線をさらに含み、
前記制御部は、
一端が前記第２信号線と電気的に接続された第２信号線スイッチと、
一端が前記第２信号線と電気的に接続され他端が前記第１コモン線と電気的に接続された第３コモンセレクタと、
一端が前記第３コモンセレクタの前記他端及び前記第１コモン線と電気的に接続され、前記第１コモン線を前記第１検知電位スイッチの前記他端、及び、前記表示対向電位線のいずれかと電気的に接続する第４コモンセレクタと、
を含み、
前記第２動作において、
前記第３コモンセレクタは、前記第３信号線と前記第１コモン線とを電気的に接続し、
前記第４コモンセレクタは、前記第１コモン線を前記第１検知電位スイッチの他端、及び、前記表示対向電位線のいずれかに繰り返し交互に電気的に接続する請求項５〜７のいずれか１つに記載の表示装置。
【請求項９】
前記制御部は、
前記画像信号のうちの、前記一部の信号とは異なる信号を出力可能な第２ソース回路と、
一端が前記第２ソース回路と電気的に接続可能で他端が前記第２信号線スイッチの他端電気的に接続された第２ソーススイッチと、
をさらに含み、
前記第１動作において、
前記第２ソース回路は、前記異なる信号を出力し、
前記第２ソーススイッチは、前記第２ソース回路と前記第２信号線スイッチの前記他端とを電気的に接続し、
前記第２信号線スイッチは、前記第２ソーススイッチの前記他端と前記第２信号線とを電気的に接続し、
前記第３コモンセレクタは、前記第２信号線を前記第４コモンセレクタと電気的に遮断し、
前記第４コモンセレクタは、前記第１コモン線と前記表示対向電位線とを電気的に接続する請求項８記載の表示装置。
【請求項１０】
前記第２動作において、
前記第２ソーススイッチは、前記第２ソース回路を前記第２信号線スイッチの前記他端と電気的に遮断する請求項９記載の表示装置。
【請求項１１】
前記複数の第２配線は、第３信号線をさらに含み、
前記制御部は、
一端が前記第３信号線と電気的に接続され他端が前記第１検知電位スイッチの前記他端と電気的に接続された第３信号線スイッチと、
一端が前記第３信号線と電気的に接続され他端が前記第１コモン線と電気的に接続された第５コモンセレクタと、
をさらに含み、
前記第２動作において、
前記第３信号線スイッチは、前記第３信号線を前記第１検知電位スイッチの前記他端と電気的に遮断し、
前記第５コモンセレクタは、前記第３信号線と前記第１コモン線とを電気的に接続する請求項５〜１０のいずれか１つに記載の表示装置。
【請求項１２】
前記第１動作において、
前記第３信号線スイッチは、前記第１ソーススイッチの前記他端を前記第３信号線と電気的に遮断し、
前記第５コモンセレクタは、前記第３信号線の他端を前記第２コモンセレクタと電気的に遮断する請求項１１記載の表示装置。
【請求項１３】
前記第２動作において、
前記第１ソーススイッチは、前記第１ソース回路を前記第３信号線スイッチの前記他端と電気的に遮断する請求項１２記載の表示装置。
【請求項１４】
前記複数の第２配線は、第１信号線と第２信号線とを含み、
前記複数の第３配線は、第１コモン線を含み、
前記制御部は、
前記表示対向電位に設定される表示対向電位線と、
検知信号が入力される検知信号線と、
基準電位線と、
制御信号を受ける第１制御端子、及び、前記制御信号の反転の信号を受ける第２制御端子を有し、前記制御信号に応じて前記第１コモン線を前記表示対向電位線及び前記検知信号線のいずれかに接続する第１コモン線用セレクタと、
前記画像信号の一部の信号を出力可能な第１ソース回路と、
一端が前記第１ソース回路と電気的に接続可能な第１ソーススイッチと、
前記画像信号のうちの、前記一部の信号とは異なる信号を出力可能な第２ソース回路と、
一端が前記第２ソース回路と電気的に接続可能な第２ソーススイッチと、
一端が前記第１信号線と電気的に接続され他端が前記第１ソーススイッチの他端と電気的に接続された第１信号線スイッチと、
一端が前記第２信号線と電気的に接続され他端が前記第２ソーススイッチの他端と電気的に接続された第２信号線スイッチと、
一端が前記第１信号線と電気的に接続され他端が前記第１コモン線と電気的に接続された第１コモンセレクタと、
一端が前記第１制御端子と電気的に接続され、前記第１制御端子を前記第１ソーススイッチの他端、及び、前記基準電位線のいずれかと電気的に接続する第２コモンセレクタと、
一端が前記第２信号線と電気的に接続され他端が前記第１コモン線と電気的に接続された第３コモンセレクタと、
一端が前記第２制御端子と電気的に接続され、前記第２制御端子を前記第２ソーススイッチの他端、及び、前記基準電位線のいずれかと電気的に接続する第４コモンセレクタと、
を含む請求項１〜３のいずれか１つに記載の表示装置。
【請求項１５】
前記第２動作の第１の状態において、
前記第１ソース回路は、第１電圧を出力し、
前記第２ソース回路は、前記第１電圧よりも低い第２電圧を出力し、
前記第１ソーススイッチの前記一端は、前記第１ソース回路と電気的に接続され、
前記第２ソーススイッチの前記一端は、前記第２ソース回路と電気的に接続され、
前記第１信号線スイッチは、前記第１信号線を前記第１ソーススイッチの前記他端と電気的に遮断し、
前記第２信号線スイッチは、前記第２信号線を前記第２ソーススイッチの前記他端と電気的に遮断し、
前記第１コモンセレクタは、前記第１信号線と、前記第１コモン線と、を電気的に接続し、
前記第２コモンセレクタは、前記第１制御端子を前記第１ソーススイッチの前記他端と電気的に接続し、
前記第３コモンセレクタは、前記第２信号線と、前記第１コモン線と、を電気的に接続し、
前記第４コモンセレクタは、前記第２制御端子を前記第２ソーススイッチの前記他端と電気的に接続する請求項１４記載の表示装置。
【請求項１６】
前記第２動作の、前記第１の状態とは異なる第２の状態において、
前記第１ソース回路は、第１電圧を出力し、
前記第２ソース回路は、前記第１電圧よりも低い第２電圧を出力し、
前記第１ソーススイッチの前記一端は、前記第２ソース回路と電気的に接続され、
前記第２ソーススイッチの前記一端は、前記第１ソース回路と電気的に接続され、
前記第１信号線スイッチは、前記第１信号線を前記第１ソーススイッチの前記他端と電気的に遮断し、
前記第２信号線スイッチは、前記第２信号線を前記第２ソーススイッチの前記他端と電気的に遮断し、
前記第１コモンセレクタは、前記第１信号線と、前記第１コモン線と、を電気的に接続し、
前記第２コモンセレクタは、前記第１制御端子を前記第１ソーススイッチの前記他端と電気的に接続し、
前記第３コモンセレクタは、前記第２信号線と、前記第１コモン線と、を電気的に接続し、
前記第４コモンセレクタは、前記第２制御端子を前記第２ソーススイッチの前記他端と電気的に接続する請求項１４記載の表示装置。
【請求項１７】
前記検知信号は、異なる電圧により生成されるパルス信号を含む請求項１５または１６に記載の表示装置。
【請求項１８】
前記第１動作において、
前記第１ソース回路は、前記画像信号の一部の前記信号を出力し、
前記第２ソース回路は、前記一部の信号とは異なる前記信号を出力し、
前記第１ソーススイッチの前記一端は、前記第１ソース回路と電気的に接続され、
前記第２ソーススイッチの前記一端は、前記第２ソース回路と電気的に接続され、
前記第１信号線スイッチは、前記第１信号線と、前記第１ソーススイッチの前記他端と、を電気的に接続し、
前記第２信号線スイッチは、前記第２信号線と、前記第２ソーススイッチの前記他端と、を電気的に接続し、
前記第１コモンセレクタは、前記第１信号線を前記第１コモン線と電気的に遮断し、
前記第２コモンセレクタは、前記第１制御端子を前記基準電位線と電気的に接続し、
前記第３コモンセレクタは、前記第２信号線を前記第１コモン線と電気的に遮断し、
前記第４コモンセレクタは、前記第２制御端子を前記基準電位線と電気的に接続する請求項１４〜１７のいずれか１つに記載の表示装置。
【請求項１９】
赤色フィルタ層と、緑色フィルタ層と、青色フィルタ層と、を含むカラーフィルタ層と、
前記第２方向に延在する複数の第５配線と、
をさらに備え、
前記カラーフィルタ層は、前記赤色フィルタ層と前記緑色フィルタ層との間の第１境界部と、前記緑色フィルタ層と前記青色フィルタ層との間の第２境界部と、前記青色フィルタ層と前記赤色フィルタ層との間の第３境界部と、を有し、
前記複数の第５配線のそれぞれは、複数の第３配線のいずれかに電気的に接続され、
前記複数の第５配線のそれぞれの電気抵抗は、前記複数の第３配線のそれぞれの電気抵抗よりも低く、
前記複数の第５配線は、前記第１方向及び前記第２方向を含む平面に投影したときに、前記第１境界部または前記第２境界部と重なり、前記第３境界部とは重ならない請求項１〜１８のいずれか１つに記載の表示装置。
【請求項２０】
赤色フィルタ層と、緑色フィルタ層と、青色フィルタ層と、を含むカラーフィルタ層と、をさらに備え、
前記カラーフィルタ層は、前記赤色フィルタ層と前記緑色フィルタ層との間の第１境界部と、前記緑色フィルタ層と前記青色フィルタ層との間の第２境界部と、前記青色フィルタ層と前記赤色フィルタ層との間の第３境界部と、を有し、
前記複数の第３配線どうしの間隙の少なくともいずれかは、前記第１方向及び前記第２方向を含む平面に投影したときに、前記第３境界部と重なる請求項１〜１８のいずれか１つに記載の表示装置。
【請求項２１】
前記制御部は、ソース回路を含む表示駆動集積回路をさらに含み、
前記制御部は、前記表示駆動集積回路の出力を用いて前記第３配線に前記タッチ検出用パルス信号を印加する、請求項２記載の表示装置。
【請求項２２】
前記表示駆動集積回路は、異なる電圧を出力する２つの検知電位線をさらに含み、
前記２つの検知電位線より生成した前記タッチ検出用パルス信号を、前記第３配線に出力する、請求項２１記載の表示装置。
【請求項２３】
前記制御部は、
前記表示駆動集積回路の外に所定の電位に設定される対向電位線と、
前記表示駆動集積回路の出力と前記対向電位線と前記第３配線とに接続されたコモンセレクタと、
をさらに含み、
前記表示駆動集積回路は、前記対向電位線の電位と異なる電位を出力する検知電位線をさらに含み、
前記表示駆動集積回路は、前記検知電位線の電位を出力し、
前記コモンセレクタは、前記第３配線に、前記対向電位線の電位と前記表示駆動集積回路の出力電位とから生成される前記タッチ検出用パルス信号を印加する、請求項２１記載の表示装置。
【請求項２４】
前記制御部は、
前記表示駆動集積回路の外に所定の電位に設定される対向電位線と、
前記タッチ検出用パルス信号が入力される検知信号線と、
前記対向電位線と前記第３配線との間に接続される第１制御端子と、
前記検知信号線と前記第３配線との間に接続される第２制御端子と、
前記第１制御端子および第２制御端子からの制御信号に応じて、前記第３配線を、前記対向電位線及び前記検知信号線のいずれかに接続するコモン線用セレクタと、
をさらに含み、
前記表示駆動集積回路は、前記第１制御端子および前記第２制御端子を制御する信号を出力する、請求項２１記載の表示装置。
【請求項２５】
前記制御部は、
表示期間において、前記複数の第１配線のいずれかを選択電位に設定しつつ前記複数の第２配線に画像信号を供給して、前記複数のスイッチ素子のうちの前記選択電位が設定された前記第１配線と電気的に接続された選択スイッチ素子を介して、前記複数の画素電極のうちの前記選択スイッチ素子と電気的に接続された選択画素電極を前記画像信号に基づく画像電位に設定し、前記複数の第３配線のいずれかを表示対向電位に設定する第１動作と、
非表示期間において、前記複数の第２配線の少なくともいずれかの電位を、前記複数の第３配線のいずれかの電位と同じにする第２動作と、
を実施し、
前記表示駆動集積回路は、前記第２動作において、前記複数の第３配線の中から、タッチ検出のスキャン対象となる第３配線を選択する、請求項２１記載の表示装置。
【発明の詳細な説明】
【技術分野】
【０００１】
本発明の実施形態は、表示装置に関する。
【背景技術】
【０００２】
液晶や有機ＥＬなどを用いた表示装置が開発されている。表示装置において、表示動作の他に、例えば、タッチ入力の検出などの非表示動作が行われる場合がある。このように、非表示動作（例えば入力の検出）などを行う場合にも、高品位の表示を維持することが望まれる。
【先行技術文献】
【特許文献】
【０００３】
【特許文献１】特開２０１２−２３０６５７号公報
【発明の概要】
【発明が解決しようとする課題】
【０００４】
本発明の実施形態は、高品位の表示装置を提供する。
【課題を解決するための手段】
【０００５】
本発明の実施形態によれば、複数の第１配線と、複数の第２配線と、複数のスイッチ素子と、複数の画素電極と、複数の第３配線と、表示層と、制御部と、を備えた表示装置が提供される。前記複数の第１配線は、第１方向に延在し前記第１方向と交差する第２方向に並ぶ。前記複数の第２配線は、前記第２方向に延在し前記第１方向に並ぶ。前記複数のスイッチ素子のそれぞれは、前記複数の第１配線のいずれか及び前記複数の第２配線のいずれかと電気的に接続される。前記複数の画素電極のそれぞれは、前記複数のスイッチ素子のそれぞれと電気的に接続される。前記複数の第３配線は、前記第２方向に延在し前記第１方向に並ぶ。前記表示層は、前記複数の画素電極に与えられる電気信号に基づいて、光学特性の変化と、発光と、の少なくともいずれかの光学動作を行う。前記制御部は、前記第２配線と前記第３配線との間に接続された１つ以上のスイッチを含む。
【図面の簡単な説明】
【０００６】
【図１】第１の実施形態に係る表示装置を例示する模式的斜視図である。
【図２】第１の実施形態に係る表示装置を例示する模式図である。
【図３】第１の実施形態に係る表示装置を例示する模式的断面図である。
【図４】第１の実施形態に係る表示装置を例示する模式図である。
【図５】第１の実施形態に係る表示装置の第１動作を例示する模式図である。
【図６】第１の実施形態に係る表示装置を例示する模式図である。
【図７】第１の実施形態に係る表示装置の第２動作を例示する模式図である。
【図８】第２の実施形態に係る表示装置を例示する模式図である。
【図９】第２の実施形態に係る表示装置を例示する模式図である。
【図１０】第２の実施形態に係る表示装置の動作を例示する模式図である。
【図１１】第２の実施形態に係る表示装置の別の動作を例示する模式図である。
【図１２】第２の実施形態に係る表示装置の動作を例示する模式図である。
【図１３】第３の実施形態に係る表示装置を例示する模式図である。
【図１４】第３の実施形態に係る表示装置を例示する模式図である。
【図１５】第４の実施形態に係る表示装置の一部を例示する模式的断面図である。
【発明を実施するための形態】
【０００７】
以下に、本発明の各実施の形態について図面を参照しつつ説明する。  
なお、開示はあくまで一例にすぎず、当業者において、発明の主旨を保っての適宜変更について容易に相当し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。  
また、本明細書と各図において、既出の図に関して前述したものと同様の要素には、同一の符号を付して、詳細な説明を適宜省略することがある。
【０００８】
（第１の実施形態）  
図１は、第１の実施形態に係る表示装置を例示する模式的斜視図である。  
図１に表したように、本実施形態に係る表示装置１１０は、複数の第１配線Ｌ１（例えばゲート線ＧＬ）と、複数の第２配線Ｌ２（例えば信号線ＳＬ）と、複数の第３配線Ｌ３（例えばコモン線ＣＬ）と、を含む。
【０００９】
複数の第１配線Ｌ１のそれぞれは、第１方向Ｄ１に延在する。複数の第１配線Ｌ１は、第２方向Ｄ２に並ぶ。第２方向Ｄ２は、第１方向Ｄ１と交差する。この例では、第２方向Ｄ２は、第１方向Ｄ１に対して垂直である。
【００１０】
複数の第２配線Ｌ２のそれぞれは、第２方向Ｄ２に延在する。複数の第２配線Ｌ２は、第１方向Ｄ１に並ぶ。
【００１１】
複数の第３配線Ｌ３のそれぞれは、第２方向Ｄ２に延在する。複数の第３配線Ｌ３は、第１方向Ｄ１に並ぶ。
【００１２】
第１方向Ｄ１及び第２方向Ｄ２を含む平面をＸ−Ｙ平面とする。Ｘ−Ｙ平面に対して垂直な方向をＺ軸方向とする。Ｘ−Ｙ平面内の１つの方向がＸ軸方向である。Ｘ−Ｙ平面内の１つの方向がＹ軸方向である。Ｙ軸方向は、Ｘ軸方向に対して垂直である。この例では、第１方向Ｄ１は、Ｘ軸方向に対して平行である。第２方向Ｄ２は、Ｙ軸方向に対して平行である。
【００１３】
この例では、複数の第４配線（例えば検出線ＲＬ）が設けられる。複数の第４配線Ｌ４は、Ｘ−Ｙ平面に対して垂直な方向（Ｚ軸方向、第５方向Ｄ５）において、第１〜第３配線Ｌ１〜Ｌ３と離間する。複数の第４配線Ｌ４のそれぞれは、第３方向Ｄ３に延在する。第３方向Ｄ３は、Ｘ−Ｙ平面に対して平行であり、第２方向Ｄ２に対して交差する。複数の第４配線Ｌ４は、第４方向Ｄ４に並ぶ。第４方向は、Ｘ−Ｙ平面に対して平行で、第３方向Ｄ３と交差する。この例では、第３方向Ｄ３は、Ｘ軸方向に対して平行であり、第４方向Ｄ４は、Ｙ軸方向に対して平行である。
【００１４】
複数のゲート線ＧＬは、例えば、第１ゲート線ＧＬ１、第２ゲート線ＧＬ２、及び、第ｎゲート線ＧＬｎを含む。ゲート線ＧＬの数は、ｎである。ｎは、２以上の整数である。例えば、ｎは、１９２０である。実施形態において、ｎは任意である。
【００１５】
複数の信号線ＳＬは、例えば、第１信号線ＳＬ１、第２信号線ＳＬ２、及び、第ｍ信号線ＳＬｍを含む。信号線ＳＬの数は、ｍである。ｍは、２以上の整数である。例えば、ｍは、１０８０×３である。すなわち、例えば、赤画素、緑画素及び青画素の組が１つの要素となる場合、要素の数が１０８０である。第１方向に沿って並ぶ複数の画素の数に対応して信号線ＳＬが設けられる。実施形態において、ｍは任意である。
【００１６】
複数のコモン線ＣＬは、例えば、第１コモン線ＣＬ１、第２コモン線ＣＬ２、及び、第Ｎコモン線ＣＬＮを含む。コモン線ＣＬの数は、Ｎである。Ｎは、２以上の整数である。実施形態において、Ｎは任意である。
【００１７】
複数の検出線ＲＬは、例えば、第１検出線ＲＬ１、第２検出線ＲＬ２、及び、第Ｍ検出線ＲＬＭを含む。検出線ＲＬの数は、Ｍである。Ｍは、２以上の整数である。実施形態において、Ｍは任意である。
【００１８】
この例では、ゲート線ＧＬと検出線ＲＬとの間に、信号線ＳＬ及びコモン線ＣＬが配置されている。実施形態においては、これらの線の配置（第５方向Ｄ５における配置）は種々の変形が可能である。
【００１９】
後述するように、複数のゲート線ＧＬと、複数の信号線ＳＬと、を用いて表示が行われる。この例では、複数のコモン線ＣＬと、複数の検出線ＲＬと、を用いて、例えば入力（例えばタッチ入力）が行われる。実施形態において、入力動作を行わない場合は、検出線ＲＬは省略しても良い。
入力動作において、複数のコモン線ＣＬには、入力を検出するためのタッチ検出用パルス信号が印加され、検出線ＲＬは、コモン線ＣＬから出力されたタッチ検出用パルス信号を受けて、タッチ検出信号として出力する。
コモン線ＣＬと検出線ＲＬとの間の容量変化により物体の接触または近接が検出される。
検出線ＲＬは、コモン線ＣＬとの間に容量が形成されるように配置されていればどのような形状や延在方向であっても良い。
【００２０】
図１に表したように、信号線ＳＬと、コモン線ＣＬとは、平行に延在する。このようにすることで、コモン線ＣＬと信号線ＳＬとの間の見かけの容量をなくすことができる。このため、入力動作におけるコモン線ＣＬの駆動の負荷を減少させることができ、入力動作の高速化や、駆動電力の削減が可能となる。
【００２１】
図１に表したように、例えば、信号線ＳＬの数（すなわち、ｍ）は、コモン線ＣＬの数（すなわち、Ｎ）よりも大きい。信号線ＳＬの数が大きいことで、高精細の表示が実施できる。一方、入力の解像度は、表示の解像度よりも低くても良い場合が多い。このため、コモン線ＣＬの数は、ゲート線ＧＬの数よりも小さくできる。コモン線ＣＬの数を小さくすることで、検出動作に要する時間を短くでき、違和感のない（少ない）表示が可能になる。
【００２２】
例えば、複数の信号線ＳＬが複数のグループに分けられる。例えば、複数の信号線ＳＬは、第１〜第ｋグループなどを含む。複数のグループのそれぞれは、互いに隣り合う複数の信号線ＳＬを含む。例えば、１つのグループに含まれる信号線ＳＬの数は、例えばｊである。ｊは、２以上の整数である。
【００２３】
例えば、Ｘ−Ｙ平面に投影したときに、１つのコモン線ＣＬ（例えば、複数のコモン線ＣＬのそれぞれ）は、複数の信号線ＳＬのグループのそれぞれと重なる。
【００２４】
図２は、第１の実施形態に係る表示装置を例示する模式図である。  
図２に例示したように、表示装置１１０において、複数のスイッチ素子１１と、複数の画素電極Ｐｘと、表示層３０と、が設けられる。複数のスイッチ素子１１のそれぞれは、複数の第１配線Ｌ１（ゲート線ＧＬ）のいずれか、及び、複数の第２配線Ｌ２（信号線ＳＬ）のいずれかと電気的に接続される。
【００２５】
実施形態において、電気的に接続される状態は、２つの導体が直接接する状態、及び、間に他の導体が挿入されて２つの導体の間に電流が流れる状態を含む。さらに、電気的に接続される状態は、間に素子（例えばスイッチ素子など）が挿入されて２つの導体の間に電流が流れる状態を形成可能な状態を含む。
【００２６】
例えば、スイッチ素子１１は、ゲート１１ｇと、半導体層１２と、を含む。半導体層１２は、第１部分１２ａと、第２部分１２ｂと、を含む。ゲート１１ｇが、複数のゲート線ＧＬの１つと電気的に接続される。半導体層１２の第１部分１２ａが、複数の信号線ＳＬの１つと電気的に接続される。
【００２７】
複数の画素電極Ｐｘのそれぞれは、複数のスイッチ素子１１のそれぞれと電気的に接続される。例えば、１つの画素電極Ｐｘは、スイッチ素子１１の半導体層１２の第２部分１２ｂと、電気的に接続される。
【００２８】
表示層３０は、複数の画素電極Ｐｘに与えられる電気信号に基づいて、光学動作を行う。光学動作は、光学特性の変化と、発光と、の少なくともいずれかを含む。後述するように、表示層３０は、例えば、複数の画素電極Ｐｘと複数の検出線ＲＬとの間に設けられる。
【００２９】
表示層３０として液晶層が用いられる場合は、光学動作は、光学特性の変化を含む。光学特性は、例えば、複屈折率、旋光性、散乱性、光反射率及び光吸収率の少なくいずれかを含む。例えば、画素電極Ｐｘに与えられる電気信号によって、表示層３０（液晶層）における液晶配向が変化し、実効的な複屈折率が変化する。旋光性、散乱性、光反射率及び光吸収率の少なくともいずれかが変化しても良い。
【００３０】
例えば、表示層３０として発光層（例えば有機発光層）が用いられ場合は、光学動作は、発光（光の放出）を含む。すなわち、表示層３０は、光学特性の変化と、発光と、の少なくともいずれかの光学動作を行う。
【００３１】
表示層３０は、例えば、負荷容量となる。この例では、表示層３０と並列に、蓄積容量Ｃｓが設けられている。蓄積容量Ｃｓは、必要に応じて設けられ、省略しても良い。
【００３２】
表示装置１１０において、複数の画素３５が設けられる。複数の画素３５のそれぞれに、少なくとも１つのスイッチ素子１１と、少なくとも１つの画素電極Ｐｘと、が設けられる。すなわち、複数のスイッチ素子１１のそれぞれが、複数の画素３５のそれぞれに設けられる。複数の画素電極Ｐｘのそれぞれが、複数の画素３５のそれぞれに設けられる。
【００３３】
図２に例示したように、表示装置１１０に制御部６０（駆動装置２１０）が設けられる。  
例えば、制御部６０は、第１駆動回路６１と、第２駆動回路６２と、制御回路６３と、を含む。第１駆動回路６１は、複数のゲート線ＧＬと電気的に接続される。第２駆動回路６２は、複数の信号線ＳＬ及び複数のコモン線ＣＬと電気的に接続される。制御回路６３は、第１駆動回路６１及び第２駆動回路６２と電気的に接続される。制御回路６３が入手する電気信号（画像信号を含む）に、適切な信号処理が行われる。信号処理が行われた電気信号が、第１駆動回路６１及び第２駆動回路６２に供給される。
のちに説明するように、第２駆動回路６２は、ソース回路を含む表示駆動集積回路６２ａを含む。表示駆動集積回路６２ａは、例えば、ソースドライバである。表示駆動集積回路６２ａは、例えば、ＬＳＩ（Large Scale Integrated-circuit）である。
【００３４】
ゲート線ＧＬ、信号線ＳＬ、スイッチ素子１１及び画素電極Ｐｘにより、複数の画素３５における表示層３０（例えば液晶層）の光学動作が制御される。これにより、表示が行われる。表示動作において、例えば、コモン線ＣＬが、画素電極Ｐｘの対向電極として利用される。すなわち、スイッチ素子１１を介して画素電極Ｐｘに電気信号が供給され、複数の画素電極Ｐｘのそれぞれの電位が制御される。画素電極Ｐｘとコモン線ＣＬとにより生じる電界により液晶の配向が変化して、表示が行われる。
【００３５】
例えば、制御部６０に、検出回路を含むタッチ検出部６５がさらに設けられても良い。タッチ検出部６５は、検出線ＲＬと電気的に接続される。検出動作においては、例えば、第２駆動回路６２とタッチ検出部６５とにより、複数のコモン線ＣＬのそれぞれと、複数の検出線ＲＬのそれぞれと、の間に形成される容量が検出される。
タッチ検出部６５は、タッチＩＣであってもよい。タッチ検出部６５は、別基板、例えば、フレキシブル基板上に設けられていてもよい。タッチ検出部６５は、制御回路６３を介して第２駆動回路６２にタッチ検出の際に駆動する駆動電極の選択情報を送信することができる。
【００３６】
例えば、複数の検出線ＲＬと、複数のコモン線ＣＬと、により、表示装置１１０へのタッチ入力が検出される。検出動作においては、例えば、表示装置１１０の観視者（使用者）の指または入力部材（例えば入力ペンなど）などが表示装置１１０に接触、または、近接する。検出線ＲＬとコモン線ＣＬとによって形成される電気容量が、上記の接触または近接により変化する。この電気容量の変化を検出することで、タッチ入力が検出される。例えば、静電容量型の検出が行われる。表示装置１１０は、例えば、入力機能付きの表示装置である。
【００３７】
この例では、コモン線ＣＬ（第３配線Ｌ３）が、表示のための対向電極として用いられつつ、検出のための対向電極、すなわち、タッチ検出用パルス信号が印加される駆動電極としても用いられる。
【００３８】
図２に例示したように、例えば、複数の画素３５は、第１色画素３５ａと、第２色画素３５ｂと、を含む。例えば、複数の画素電極Ｐｘは、第１色用の第１色画素電極Ｐｘａと、第２色用の第２色画素電極Ｐｘｂと、を含む。第２色は、第１色とは異なる。複数の信号線ＳＬは、第１色配線ＳＬａと、第２色配線ＳＬｂと、を含む。第１色配線ＳＬａは、複数のスイッチ素子１１のいずれかを介して第１色画素電極Ｐｘａと電気的に接続される。第２色配線ＳＬｂは、複数のスイッチ素子１１の別のいずれかを介して第２色画素電極Ｐｘｂと電気的に接続される。さらに、第３色画素及び第３画素電極が設けられても良い。これに伴い、第３色配線が設けられても良い。さらに、４色以上の画素３５が設けられても良い。以下では、３色の画素３５が設けられる場合の例について、説明する。
【００３９】
図３は、第１の実施形態に係る表示装置を例示する模式的断面図である。  
図３に表したように、表示装置１１０において、第１基板部１０ｕと、第２基板部２０ｕと、表示層３０と、が設けられる。表示装置１１０には、複数の画素３５が設けられる。図３は、１つの画素３５の部分を例示している。
【００４０】
例えば、第１基板部１０ｕとして、ＴＦＴ（薄膜トランジスタ）アレイ基板が用いられる。第１基板部１０ｕには、例えば、第１基板１０と、ゲート線ＧＬ（第１配線Ｌ１）と、スイッチ素子１１と、信号線ＳＬ（第２配線Ｌ２）と、コモン線ＣＬ（第３配線Ｌ３）と、画素電極Ｐｘと、が設けられる。
【００４１】
ゲート線ＧＬ及び信号線ＳＬは、例えば、Ｘ−Ｙ平面内に延在する。第１基板部１０ｕは、Ｘ−Ｙ平面内に延在する。
【００４２】
この例では第１基板１０は、光透過性である。第１基板１０には、例えば、ガラスまたは樹脂が用いられる。第１基板１０の上に、ゲート線ＧＬが設けられる。
【００４３】
この例では、スイッチ素子１１として、ＴＦＴが用いられる。スイッチ素子１１は、半導体層１２を含む。半導体層１２は、第１部分１２ａと、第２部分１２ｂと、第３部分１２ｃと、を含む。第２部分１２ｂは、Ｘ−Ｙ平面内で、第１部分１２ａと離間する。第３部分１２ｃは、第１部分１２ａと第２部分１２ｂとの間に配置される。第１部分１２ａは、スイッチ素子１１のソース及びドレインの一方となる。第２部分１２ｂは、ソース及びドレインの他方となる。第３部分１２ｃは、スイッチ素子１１のチャネル部となる。
【００４４】
スイッチ素子１１は、ゲート１１ｇと、ゲート絶縁膜１１ｉと、をさらに含む。第３部分１２ｃとゲート１１ｇとの間に、ゲート絶縁膜１１ｉが設けられる。この例では、ゲート１１ｇの上に第３部分１２ｃが配置される。この例では、スイッチ素子１１は、ゲート下置き構造を有する。実施形態において、スイッチ素子１１は、ゲート上置き構造を有しても良い。
【００４５】
ゲート線ＧＬ及びゲート１１ｇの少なくともいずれかには、第１金属層が用いられる。第１金属層には、例えば、Ｍｏ（モリブデン）、Ａｌ（アルミニウム）、Ｃｕ（銅）及びそれらの合金の少なくともいずれかが用いられる。例えば、第１金属層は、Ｍｏを含む。
【００４６】
半導体層１２には、例えば、ポリシリコン、アモルファスシリコン及び結晶シリコンの少なくともいずれかが用いられる。半導体層１２として、酸化物半導体を用いても良い。例えば、半導体層１２は、インジウム（Ｉｎ）、ガリウム（Ｇａ）及び亜鉛（Ｚｎ）の少なくともいずれかを含む酸化物を含んでも良い。
【００４７】
信号線ＳＬは、第１部分１２ａと電気的に接続される。この例では、信号線ＳＬの一部（第１接続部１５ａ）が、第１部分１２ａと電気的に接続される。この例では、第１接続部１５ａは、第１接続導電部１５ｃにより第１部分１２ａと電気的に接続される。
【００４８】
一方、第２部分１２ｂの上に、第２接続導電部１５ｄが設けられる。第２接続導電部１５ｄの上に、第２接続部１５ｂが設けられる。
【００４９】
第１接続部１５ａ（信号線ＳＬ）、第１接続導電部１５ｃ、第２接続部１５ｂ及び第２接続導電部１５ｄには、第２金属層が用いられる。第２金属層には、例えば、Ａｌ、Ｃｒ（クロム）、Ｔａ（タンタル）及びそれらの合金の少なくともいずれかが用いられる。たとえば、第２金属層は、Ａｌを含む。
【００５０】
第１接続部１５ａ（信号線ＳＬ）と半導体層１２との間、第１接続導電部１５ｃと半導体層１２との間、第２接続部１５ｂと半導体層１２との間、及び、第２接続導電部１５ｄと半導体層１２との間に、層間絶縁層１３が設けられる。
【００５１】
層間絶縁層１３には、例えば、金属酸化物などが用いられる。層間絶縁層１３には、例えば、シリコン酸化物、シリコン窒化物及びシリコン酸窒化物の少なくともいずれかが用いられる。
【００５２】
この例では、コモン線ＣＬが、信号線ＳＬなどの第２金属層の上に設けられる。コモン線ＣＬと信号線ＳＬとの間には、第１絶縁層Ｉ１が設けられる。第１絶縁層Ｉ１は、複数の信号線ＳＬと複数のコモン線ＣＬとの間に設けられる。
【００５３】
第１絶縁層Ｉ１は、例えば、平坦化層として機能する。例えば、第１絶縁層Ｉ１は、有機材料を含む。第１絶縁層Ｉ１は、例えば、アクリル樹脂及びポリイミド樹脂の少なくともいずれかを含む。第１絶縁層Ｉ１として、有機材料を用いることで、高い平坦性が得られる。
【００５４】
コモン線ＣＬの上に、画素電極Ｐｘが設けられる。この例では、画素電極Ｐｘは、櫛状であり、画素電極Ｐｘは、帯状の複数の部分Ｐｘｓを含む。複数の部分Ｐｘｓは、Ｘ−Ｙ平面内で互いに離間する。画素電極Ｐｘは、第２接続部１５ｂと電気的に接続される。この例では、画素電極Ｐｘは、第３接続導電部１７により、第２接続部１５ｂと電気的に接続される。
【００５５】
コモン線ＣＬ及び画素電極Ｐｘの少なくともいずれかには、例えば、光透過性の導電層が用いられる。例えば、コモン線ＣＬ及び画素電極Ｐｘの少なくともいずれかには、Ｉｎ、Ｓｎ、Ｚｎ及びＴｉよりなる群から選択された少なくともいずれかの元素を含む酸化物が用いられる。コモン線ＣＬ及び画素電極Ｐｘには、例えばＩＴＯ（Indium Tin Oxide）などが用いられる。コモン線ＣＬ及び画素電極Ｐｘとして、例えば、光透過性の薄い金属層を用いても良い。後述するように、コモン線ＣＬに補助配線を設けても良い。
【００５６】
画素電極Ｐｘとコモン線ＣＬとの間には、第２絶縁層Ｉ２が設けられる。この例では、複数のコモン線ＣＬの少なくとも一部は、複数の画素電極Ｐｘのいずれかの少なくとも一部と、複数の信号線ＳＬのいずれかの少なくとも一部と、の間に配置される。そして、第２絶縁層Ｉ２は、複数のコモン線ＣＬの上記の少なくとも一部と、複数の画素電極Ｐｘのいずれかの上記の少なくとも一部と、の間に配置される。
【００５７】
第２絶縁層Ｉ２には、例えば、第１絶縁層Ｉ１と同じ材料を用いても良い。第２絶縁層Ｉ２には、例えば金属化合物（酸化物、窒化物または酸窒化物など）を用いても良い。第２絶縁層Ｉ２の材料は任意である。
【００５８】
この例では、画素電極Ｐｘの上に第１配向膜１８が設けられる。
【００５９】
第２基板部２０ｕは、Ｚ軸方向において、第１基板部１０ｕと離間する。この例では、第２基板部２０ｕは、第２基板２０と、カラーフィルタ層２５と、第２配向膜２８と、検出線ＲＬ（第４配線Ｌ４）と、を含む。検出線ＲＬは、スイッチ素子１１及び複数の画素電極Ｐｘと離間している。検出線ＲＬと第１基板部１０ｕとの間に、第２基板２０が設けられる。第２基板２０と第１基板部１０ｕとの間に、カラーフィルタ層２５が設けられる。カラーフィルタ層２５と第１基板部１０ｕとの間に、第２配向膜２８が設けられる。
【００６０】
この例では、第２基板２０は、光透過性である。第２基板１０には、例えば、ガラスまたは樹脂が用いられる。
【００６１】
検出線ＲＬは、例えば、光透過性である。検出線ＲＬには、Ｉｎ、Ｓｎ、Ｚｎ及びＴｉよりなる群から選択された少なくともいずれかの元素を含む酸化物（例えば、ＩＴＯなど）などが用いられる。検出線ＲＬとして、光透過性の薄い金属層を用いても良い。
【００６２】
カラーフィルタ層２５は、例えば、赤着色層、緑着色層及び青着色層などを含む。赤着色層、緑着色層及び青着色層のそれぞれは、複数の画素３５のそれぞれに対応して配置される。カラーフィルタ層２５の色は、４色以上でも良い。実施形態において、カラーフィルタ層２５は省略しても良い。カラーフィルタ層は、第１基板部１０ｕに設けられても良い。
【００６３】
第１配向膜１８及び第２配向膜２８には、例えば、ポリイミドなどが用いられる。これらの配向膜には、必要に応じて配向処理（例えばラビング処理など）が行われる。
【００６４】
第１基板部１０ｕと第２基板部２０ｕとの間に、表示層３０が設けられる。表示層３０は、複数の画素電極Ｐｘと、複数の検出線ＲＬと、の間に配置される。例えば、第１配向膜１８と第２配向膜２８との間に、表示層３０が配置される。
【００６５】
この例では、第１偏光層５１と第２偏光層５２とが設けられる。第１偏光層５１と第２偏光層５２との間に、第１基板部１０ｕが配置される。第１基板部１０ｕと第２偏光層５２との間に、第２基板部２０ｕが配置される。
【００６６】
この例では、バックライト部５５がさらに設けられる。バックライト部５５と第２偏光層５２との間に第１偏光層５１、第１基板部１０ｕ、表示層３０及び第２基板部２０ｕが配置される。バックライト部５５は、光を放出する。この光は、第１偏光層５１、第１基板部１０ｕ、表示層３０第２基板部２０ｕ及び第２偏光層５２を通過して、表示装置１１０の外部に出射する。
【００６７】
この例では、画素電極Ｐｘは、帯状の複数の部分Ｐｘｓを含む。画素電極Ｐｘと、コモン線ＣＬと、の間に、「横電界」が生じる。横電界は、Ｘ−Ｙ平面に対して平行な成分を有する電界である。横電界により、表示層３０（液晶層）の液晶分子のダイレクタ（液晶分子の長軸方向）を、Ｘ−Ｙ平面内で変化させる。ダイレクタの方向の変化により、例えば、複屈折率及び旋光性の少なくともいずれかが変化する。すなわち、光学特性の変化が生じる。偏光層を用いることで、光学特性の変化が透過率の変化に変換される。
【００６８】
光学特性の変化により、バックライト部５５から出射した光の透過率が変化する。画素電極Ｐｘに与えられる電気信号（画像信号）に応じて、光の透過率が変化し、すなわち、明るさが変化する。明るさが変化した光が、表示装置１１０の上面Ｕｆから出射する。これにより、表示が行われる。
【００６９】
一方、複数の検出線ＲＬと、複数のコモン線ＣＬと、により、表示装置１１０の上面Ｕｆへのタッチ入力が検出される。
【００７０】
制御部６０の少なくとも一部は、第１基板部１０ｕに設けられても良い。制御部６０の少なくとも一部は、表示装置の駆動装置２１０（図２参照）に含まれても良い。駆動装置２１０の少なくとも一部が、制御部６０に含まれても良い。
【００７１】
以下、表示装置１１０の動作の例について、説明する。
【００７２】
図４は、第１の実施形態に係る表示装置を例示する模式図である。  
図４は、本実施形態に係る表示装置１１１の一部を例示している。図４に例示した以外の部分は、表示装置１１０に関して説明した構成が適用される。
【００７３】
図４に表したように、複数の第１配線Ｌ１（ゲート線ＧＬ）は、第ｉゲート線Ｇａｔｅ＜ｉ＞と、第（ｉ＋１）ゲート線Ｇａｔｅ＜ｉ＋１＞と、を含む。
【００７４】
例えば、赤（Ｒ）、緑（Ｇ）及び青（Ｂ）に対応する画素電極Ｐｘが配置される。
【００７５】
複数の第２配線Ｌ２（信号線ＳＬ）は、第１信号線Ｓｌ１を含む。第１信号線Ｓｌ１は、例えば、第１色画素（例えばＲ色画素）に対応する。この例では、複数の第２配線Ｌ２は、第２信号線Ｓｌ２及び第３信号線Ｓｌ３をさらに含む。第２信号線Ｓｌ２は、例えば、第２色画素（例えばＧ画素）に対応する。第３信号線Ｓｌ３は、例えば、第３色画素（例えばＢ画素）に対応する。
【００７６】
複数の第３配線Ｌ３（コモン線ＣＬ）は、第１コモン線Ｃｌ１を含む。
【００７７】
制御部６０は、表示対向電位線ＣＯＭｌと、検知電位線ＳＶｌと、第１検知電位スイッチＳＶＳ１と、第１信号線スイッチＳｌＳ１と、第１コモンセレクタＣＳ１と、第２コモンセレクタＣＳ２と、を含む。
【００７８】
図４では、第２配線Ｌ２と第３配線Ｌ３とは、信号線スイッチと、コモンセレクタとを介して接続されている。すなわち、制御部６０は、第２配線Ｌ２と、第３配線Ｌ３との間に１つ以上のスイッチを含む。
【００７９】
表示対向電位線ＣＯＭｌは、表示対向電位ＣＯＭＤＣに設定される。表示対向電位ＣＯＭＤＣは、例えば、０ボルト（例えば接地電位）〜−１ボルトである。この値は例であり、実施形態は、これに限定されない。
【００８０】
検知電位線ＳＶｌは、表示対向電位ＣＯＭＤＣとは異なる電位（例えば、タッチ動作電位ＴＰＨ）に設定される。タッチ動作電位ＴＰＨは、例えば、４ボルト〜１０ボルトである。この値は例であり、実施形態は、これに限定されない。
【００８１】
第１検知電位スイッチＳＶＳ１の一端は、検知電位線ＳＶｌ（タッチ動作電位ＴＰＨ）と電気的に接続される。
【００８２】
第１信号線スイッチＳｌＳ１の一端は、第１信号線Ｓｌ１と電気的に接続される。第１信号線スイッチＳｌＳ１の他端は、第１検知電位スイッチＳＶＳ１の他端と電気的に接続される。第１検知電位スイッチＳＶＳ１の他端における電位（信号）を、信号ＤＤＩ−ＯＵＴということにする。信号ＤＤＩ-ＯＵＴは、表示駆動集積回路６２aの出力である。
【００８３】
第１コモンセレクタＣＳ１の一端は、第１信号線Ｓｌ１と電気的に接続される。第１コモンセレクタＣＳ１の他端は、第１コモン線Ｃｌ１と電気的に接続される。
【００８４】
第２コモンセレクタＣＳ２の一端は、第１コモンセレクタＣＳ１の他端及び第１コモン線Ｃｌ１と電気的に接続される。第２コモンセレクタＣＳ２は、第１コモン線Ｃｌ１を第１検知電位スイッチＳＶＳ１の他端、及び、表示対向電位線ＣＯＭｌのいずれかに電気的に接続する。
【００８５】
この例では、制御部６０は、第１ソース回路ＳＣ１と、第１ソーススイッチＳＳ１と、をさらに含む。第１ソース回路ＳＣ１は、画像信号の一部の信号を出力可能である。
【００８６】
第１ソーススイッチＳＳ１の一端は、第１ソース回路ＳＣ１に電気的に接続可能である。第１ソーススイッチＳＳ１の他端は、第１検知電位スイッチＳＶＳ１の他端に電気的に接続される。
【００８７】
この例では、制御部６０は、第２信号線スイッチＳｌＳ２と、第３コモンセレクタＣＳ３と、第４コモンセレクタＣＳ４と、をさらに含む。
【００８８】
第２信号線スイッチＳｌＳ２の一端は、第２信号線Ｓｌ２と電気的に接続される。第３コモンセレクタＣＳ３の一端は、第２信号線Ｓｌ２と電気的に接続される。第３コモンセレクタＣＳ３の他端は、第１コモン線Ｃｌ１と電気的に接続される。
【００８９】
第４コモンセレクタＣＳ４の一端は、第３コモンセレクタＣＳ３の他端及び第１コモン線Ｃｌ１と電気的に接続される。第４コモンセレクタＣＳ４は、第１コモン線Ｃｌ１を第１検知電位スイッチＳＶＳ１の他端、及び、表示対向電位線ＣＯＭｌのいずれかと電気的に接続する。
【００９０】
この例では、制御部６０は、第２ソース回路ＳＣ２と、第２ソーススイッチＳＳ２と、をさらに含む。
【００９１】
第２ソース回路ＳＣ２は、画像信号のうちの、上記の一部の信号（第１ソース回路ＳＣ１の信号）とは異なる信号を出力可能である。例えば、第２ソース回路ＳＣ２から出力される信号の極性は、第１ソース回路ＳＣ１から出力される信号の極性の反対である。
【００９２】
第２ソーススイッチＳＳ２の一端は、第２ソース回路ＳＣ２と電気的に接続可能である。第２ソーススイッチＳＳ２の他端は、第２信号線スイッチＳｌＳ２の他端と電気的に接続される。
【００９３】
さらに、この例では、制御部６０は、第３信号線スイッチＳｌＳ３と、第５コモンセレクタＣＳ５と、をさらに含む。
【００９４】
第３信号線スイッチＳｌＳ３一端は、第３信号線Ｓｌ３と電気的に接続される。第３信号線スイッチＳｌＳ３の他端は、第１検知電位スイッチＳＶＳ１の他端と電気的に接続される。
【００９５】
第５コモンセレクタＣＳ５の一端は、第３信号線Ｓｌ３と電気的に接続される。第５コモンセレクタＣＳ５の他端は、第１コモン線Ｃｌ１と電気的に接続される。
【００９６】
例えば、第１信号線スイッチＳｌＳ１、第２信号線スイッチＳｌＳ２及び第３信号線スイッチＳｌＳ３は、セレクタスイッチＳＥＬ＿ＳＷに含まれる。
【００９７】
例えば、第１コモンセレクタＣＳ１、第３コモンセレクタＣＳ３及び第５コモンセレクタＣＳ５は、コモンセレクタＣＯＭ＿ＳＥＬ１に含まれる。第２コモンセレクタＣＳ２及び第４コモンセレクタＣＳ４は、コモンセレクタＣＯＭ＿ＳＥＬ２に含まれる。
【００９８】
この例では、コモンセレクタＣＯＭ＿ＳＥＬが設けられている。コモンセレクタＣＯＭ＿ＳＥＬと、セレクタスイッチＳＥＬ＿ＳＷと、の間に、ゲート線ＧＬが配置される。コモンセレクタＣＯＭ＿ＳＥＬは、コモン線ＣＬのそれぞれ（例えば第１コモン線Ｃｌ１）を、表示対向電位ＣＯＭＤＣ及び配線ＣＣのいずれかに電気的に接続する。コモンセレクタＣＯＭ＿ＳＥＬ、及び、配線ＣＣは、第３回路部６２ｃに含まれる。
【００９９】
例えば、セレクタスイッチＳＥＬ＿ＳＷ、コモンセレクタＣＯＭ＿ＳＥＬ１、コモンセレクタＣＯＭ＿ＳＥＬ２、コモンセレクタＣＯＭ＿ＳＥＬ、表示対向電位ＣＯＭＤＣ及び配線ＣＣは、例えば、第１基板１０の上に設けられる。
【０１００】
例えば、セレクタスイッチＳＥＬ＿ＳＷ、コモンセレクタＣＯＭ＿ＳＥＬ１及びコモンセレクタＣＯＭ＿ＳＥＬ２、表示対向電位ＣＯＭＤＣを含む回路部６２ｂは、第１基板１０の１つの辺に沿って設けられる。表示対向電位ＣＯＭＤＣ及び配線ＣＣは、第１基板１０の別の１つの辺に沿って設けられる。
上記の辺は、第１基板１０の、第３配線Ｌ３が延在する第２方向に直交する辺である。回路部６２ｂは、例えば、第１基板１０の、表示領域の外側にある額縁領域に設けられる。
【０１０１】
例えば、第１ソース回路ＳＣ１、第２ソース回路ＳＣ２、第１ソーススイッチＳＳ１、第２ソーススイッチＳＳ２及び第１検知電位スイッチＳＶＳ１は、第１回路部６２ａに含まれる。ソース回路は、ソースアンプを含む。第１回路部６２ａは、例えば、ＩＣチップである。第１回路部６２ａは、例えば、ＣＯＧなどの方法により、第１基板１０の上に実装される。ここで、第１回路部６２ａは、ソース回路を含む表示駆動集積回路６２ａである。
【０１０２】
表示装置１１１（表示装置１１０）において、第１動作と、第２動作と、が実施される。第１動作は、例えば、表示動作である。第２動作は、非表示動作である。第２動作は、例えば、入力検知動作である。
表示装置１１１は、表示駆動集積回路６２aの出力を用いて第３配線Ｌ３にタッチ検出用パルス信号を印加し、入力検知を行う。このように表示動作にも使用する表示駆動集積回路６２aの出力を用いて入力検知を行うことで、第３配線Ｌ３を駆動するためのタッチ駆動ドライバのための回路を削減することができる。
また、表示装置１１１は、コモン線ＣＬと信号線ＳＬとが平行な構造であるので、コモン線ＣＬに引き回す配線が短くてすみ、タッチ検出を高速化できる場合がある。
また、ソースアンプの出力を用いて駆動するタッチ駆動電極を任意に選択することができるので、駆動電極を間引いて駆動したり、一部の駆動電極を部分的に駆動することができる。
【０１０３】
図４は、表示装置１１１における第１動作ＯＰ１の状態を例示している。以下、第１動作ＯＰ１の例について説明する。
【０１０４】
図５は、第１の実施形態に係る表示装置の第１動作を例示する模式図である。  
図５は、第１動作ＯＰ１のタイミングチャートを例示している。図５の横軸は、時間である。
【０１０５】
図５に表したように、表示期間ＤＴにおいて、第１動作ＯＰ１が実施される。例えば、表示期間ＤＴは、第１表示期間ＤＴ１〜第ｋ表示期間を有する。第１表示期間ＤＴ１において、第１〜第ｋゲート線ＧＬが順次選択され、走査される。第２表示期間（図示しない）において、第（ｋ＋１）ゲート線ＧＬ〜第２ｋゲート線ＧＬが、順次選択され、走査される。図５においては、第１表示期間ＤＴ１に含まれる、第ｉゲート線Ｇａｔｅ＜ｉ＞の走査期間（１Ｈ）と、第（ｉ＋１）ゲート線Ｇａｔｅ＜ｉ＋１＞の走査期間（１Ｈ）と、が図示されている。
【０１０６】
この例では、信号ＤＤＩ−ＯＵＴは、例えば、第１ソース回路ＳＣ１の出力に対応する。
【０１０７】
信号ＳＥＬ１は、第１信号線スイッチＳｌＳ１の信号である。第２信号線スイッチＳｌＳ２の信号は、第１信号線スイッチＳｌＳ１の信号と同じである。信号ＳＥＬ２は、第３信号線スイッチＳｌＳ３の信号である。これらの信号において、ハイ状態「Ｈ」において、これらのスイッチが導通状態となる。ロー状態「Ｌ」において、これらのスイッチにおいて非導通（遮断）状態となる。
【０１０８】
コモンセレクタＣＯＭ＿ＳＥＬ１（第１コモンセレクタＣＳ１、第３コモンセレクタＣＳ３及び第５コモンセレクタＣＳ５）において、ハイ状態「Ｈ」において、これらのコモンセレクタ（スイッチ）が電気的に導通する。ロー状態「Ｌ」において、これらのコモンセレクタ（スイッチ）が電気的に非導通（遮断）状態となる。
【０１０９】
コモンセレクタＣＯＭ＿ＳＥＬ２（第２コモンセレクタＣＳ２及び第４コモンセレクタＣＳ４）において、ハイ状態「Ｈ」において、コモンセレクタＣＯＭ＿ＳＥＬ１（第１コモンセレクタＣＳ１、第３コモンセレクタＣＳ３及び第５コモンセレクタＣＳ５）のそれぞれの他端が、表示対向電位線ＣＯＭｌ（表示対向電位ＣＯＭＤＣ）に接続される。ロー状態「Ｌ」において、コモンセレクタＣＯＭ＿ＳＥＬ１（第１コモンセレクタＣＳ１、第３コモンセレクタＣＳ３及び第５コモンセレクタＣＳ５）のそれぞれの他端が、第１検知電位スイッチＳＶＳ１の他端に接続される。
【０１１０】
第１動作ＯＰ１（表示動作）において、第ｉゲート線Ｇａｔｅ＜ｉ＞、及び、第（ｉ＋１）ゲート線Ｇａｔｅ＜ｉ＋１＞がハイ状態「Ｈ」のとき、スイッチ素子１１が電気的に導通状態になる。ロー状態「Ｌ」において、スイッチ素子１１が非導通（遮断）状態となる。
【０１１１】
例えば、１つの１Ｈの期間において、第ｉゲート線Ｇａｔｅ＜ｉ＞が導通状態となる。１Ｈの期間の始まりと、ゲート線の導通状態との始まりと、の間の時間は、時間ｔ１２である。この後、時間ｔ１３の導通状態が設けられる。別の１つの１Ｈの期間において、第（ｉ＋１）ゲート線Ｇａｔｅ＜ｉ＋１＞が導通状態となる。
【０１１２】
１Ｈの期間の中の時間ｔ１において、第１ソース回路ＳＣ１は、画像信号１ｓｅｌを出力する。時間ｔ１の後の時間ｔ２（期間Ｈｉ−Ｚ、高インピーダンス）において、第１ソース回路ＳＣ１は、画像信号の出力を休止する。時間ｔ２の後の時間ｔ３において、第１ソース回路ＳＣ１は、画像信号２ｓｅｌを出力する。時間ｔ３の後の時間（期間Ｈｉ−Ｚ）において、第１ソース回路ＳＣ１は、画像信号の出力を休止する。
【０１１３】
第１信号線スイッチＳｌＳ１及び第２信号線スイッチＳｌＳ２は、時間ｔ５において、ハイ状態「Ｈ」となる。時間ｔ１の始まりと、時間ｔ５の始まりと、の間の時間は、時間ｔ４である。第１信号線スイッチＳｌＳ１及び第２信号線スイッチＳｌＳ２は、時間ｔ２及び時間ｔ３においては、ロー状態「Ｌ」である。
【０１１４】
第３信号線スイッチＳｌＳ３は、時間ｔ１において、ロー状態「Ｌ」である。時間ｔ１の始まりと、時間ｔ５の始まりと、の間の時間は、時間ｔ４である。第３信号線スイッチＳｌＳ３は、時間ｔ７において、ハイ状態「Ｈ」となる。時間ｔ１の始まりと、時間ｔ７の始まりと、の間の時間は、時間ｔ６である。
【０１１５】
一方、コモンセレクタＣＯＭ＿ＳＥＬ１（第１コモンセレクタＣＳ１、第３コモンセレクタＣＳ３及び第５コモンセレクタＣＳ５）は、ロー状態「Ｌ」である。一方、コモンセレクタＣＯＭ＿ＳＥＬ２（第２コモンセレクタＣＳ２及び第４コモンセレクタＣＳ４）において、ハイ状態「Ｈ」である。
【０１１６】
すなわち、第１動作ＯＰ１（表示動作）において、以下が実施される。  
第１検知電位スイッチＳＶＳ１は、検知電位線ＳＶｌを第２コモンセレクタＣＳ２と電気的に遮断する。  
第１ソース回路ＳＣ１は、画像信号の一部の信号を出力する。  
第１ソーススイッチＳＳ１は、第１ソース回路ＳＣ１と第１信号線スイッチＳｌＳ１の他端とを電気的に接続する。  
第１信号線スイッチＳｌＳ１は、第１ソーススイッチＳＳ１の他端と、第１信号線Ｓｌ１と、を電気的に接続する。  
第１コモンセレクタＣＳ１は、第１信号線Ｓｌ１を第２コモンセレクタＣＳ２と電気的に遮断する。  
第２コモンセレクタＣＳ２は、第１コモン線Ｃｌ１と、表示対向電位線ＣＯＭｌと、を電気的に接続する。  
これにより、第１信号線Ｓｌ１に対応する画素３５において、所望の表示が行われる。
【０１１７】
さらに、図４に例示したように、第１動作ＯＰ１において、以下が行われる。  
第２ソース回路ＳＣ２は、第１ソース回路ＳＣ１とは異なる信号を出力する。  
第２ソーススイッチＳＳ２は、第２ソース回路ＳＣ２と、第２信号線スイッチＳｌＳ２の他端と、を電気的に接続する。  
第２信号線スイッチＳｌＳ２は、第２ソーススイッチＳＳ２の他端と、第２信号線Ｓｌ２とを電気的に接続する。  
第３コモンセレクタＣＳ３は、第２信号線Ｓｌ２を第４コモンセレクタＣＳ４と電気的に遮断する。  
第４コモンセレクタＣＳ４は、第１コモン線ＣＬ１と、表示対向電位線ＣＯＭｌと、を電気的に接続する。  
これにより、第２信号線Ｓｌ２に対応する画素３５において、所望の表示が行われる。
【０１１８】
さらに、図４に例示したように、第１動作ＯＰ１において、以下が行われる。  
第３信号線スイッチＳｌＳ３は、第１ソーススイッチＳＳ１の他端を第３信号線Ｓｌ３と電気的に遮断する。  
第５コモンセレクタＣＳ５は、第３信号線Ｓｌ３を第２コモンセレクタと電気的に遮断する。  
これにより、第３信号線Ｓｌ３に対応する画素３５において、所望の表示が行われる。
【０１１９】
図６は、第１の実施形態に係る表示装置を例示する模式図である。  
図６は、表示装置１１１の第２動作ＯＰ２（非表示動作）の状態を例示している。この例では、第２動作ＯＰ２では、検出動作が行われる。  
図６に表したように、第２動作ＯＰ２において、以下が行われる。  
第１検知電位スイッチＳＶＳ１は、検知電位線ＳＶｌと、第２コモンセレクタＣＳ２と、を電気的に接続する。  
第１信号線スイッチＳｌＳ１は、第１信号線Ｓｌ１を第１検知電位スイッチＳＶＳ１の他端と電気的に遮断する。  
第１コモンセレクタＣＳ１は、第１信号線Ｓｌ１と、第１コモン線Ｃｌ１と、を電気的に接続する。  
第２コモンセレクタＣＳ２は、第１コモン線Ｃｌ１を、第１検知電位スイッチＳＶＳ１の他端、及び、表示対向電位線ＣＯＭｌのいずれかに繰り返し交互に電気的に接続する。  これにより、第１コモン線Ｃｌ１を用いた検出が行われる。
【０１２０】
このとき、第１ソーススイッチＳＳ１は、第１ソース回路ＳＣ１を第１信号線スイッチＳｌＳ１の他端と電気的に遮断している。
【０１２１】
さらに、第２動作ＯＰ２において、以下が行われる。  
第３コモンセレクタＣＳ３は、第３信号線Ｓｌ３と、第１コモン線Ｃｌ１と、を電気的に接続する。  
第４コモンセレクタＣＳ４は、第１コモン線Ｃｌ１を、第１検知電位スイッチＳＶＳ１の他端、及び、表示対向電位線ＣＯＭｌのいずれかに繰り返し交互に電気的に接続する。
【０１２２】
このとき、第２ソーススイッチＳＳ２は、第２ソース回路ＳＣ２を第２信号線スイッチＳｌＳ２の他端と電気的に遮断している。
【０１２３】
さらに、第２動作ＯＰ２において、以下が行われる。  
第３信号線スイッチＳｌＳ３は、第３信号線Ｓｌ３を第１検知電位スイッチＳＶＳ１の他端と電気的に遮断する。  
第５コモンセレクタＣＳ５は、第３信号線Ｓｌ３と、第１コモン線Ｃｌ１と、を電気的に接続する。
【０１２４】
これにより、第２動作ＯＰ２において、第１信号線Ｓｌ１と、第２信号線Ｓｌ２と、第３信号線Ｓｌ３と、第１コモン線Ｃｌ１と、が互いに実質的に同じ電位になる。この状態で、例えば、タッチ入力の検知が行われる。
この例では、第２動作において、第１回路部６２ａは、第１回路部６２ａに含まれる検知電位線ＳＶｌの電圧を出力し、出力の電位と、第２回路部６２ｂに含まれる表示対向電位線ＣＯＭｌの電位とから生成されるタッチ検出用パルス信号が、選択された第３配線Ｌ３に印加される。検知電位線ＳＶｌの電位と、表示対向電位線ＣＯＭｌの電圧とは、異なる電圧であればよい。表示対向電位線ＣＯＭｌは、第１動作ＯＰ１において表示の対向電極であるコモン線ＣＬに印加される対向電圧であってもよい。
【０１２５】
図７は、第１の実施形態に係る表示装置の第２動作を例示する模式図である。  
図７は、第２動作ＯＰ２のタイミングチャートを例示している。
【０１２６】
図７に表したように、２つの第１動作ＯＰ１（第１表示期間ＤＴ１及び第２表示期間ＤＴ２）の間に非表示期間ＮＤＴが設けられる。非表示期間ＮＤＴにおいて、第２動作ＯＰ２が実施される。
【０１２７】
この例では、第２動作ＯＰ２において、入力の検知が行われる。このとき、複数のコモン線ＣＬが、順次、選択状態ＳＥとされる。選択状態ＳＥではないコモン線ＣＬは、非選択状態ＮＳとされる。
【０１２８】
図７には、非選択状態ＮＳの場合の信号ＤＤＩ−ＯＵＴと、選択状態ＳＥの場合の信号ＤＤＩ−ＯＵＴと、が示されている。
【０１２９】
非選択状態ＮＳの場合には、信号ＤＤＩ−ＯＵＴは、表示対向電位ＣＯＭＤＣに設定される。接地電位ＧＮＤに設定されても良い。
【０１３０】
選択状態ＳＥの場合には、信号ＤＤＩ−ＯＵＴは、検知電位線ＳＶｌの電位（例えばタッチ動作電位ＴＰＨ）に設定される。選択状態ＳＥの信号ＤＤＩ−ＯＵＴにおける検知電位線ＳＶｌの電位の始まりと、非表示期間ＮＤＴの始まりと、の間の時間は、時間ｔ３１である。
【０１３１】
信号ＳＥＬ１（第１信号線スイッチＳｌＳ１及び第２信号線スイッチＳｌＳ２）は、非表示期間ＮＤＴにおいて、ロー状態「Ｌ」である。信号ＳＥＬ２（第３信号線スイッチＳｌＳ３）も、非表示期間ＮＤＴにおいて、ロー状態「Ｌ」である。
【０１３２】
一方、コモンセレクタＣＯＭ＿ＳＥＬ１（第１コモンセレクタＣＳ１、第３コモンセレクタＣＳ３及び第５コモンセレクタＣＳ５）は、非表示期間ＮＤＴの一部において、ハイ状態「Ｈ」である。非表示期間ＮＤＴの始まりと、コモンセレクタＣＯＭ＿ＳＥＬ１におけるハイ状態「Ｈ」の始まりと、の間の時間は、時間ｔ３８である。
【０１３３】
コモンセレクタＣＯＭ＿ＳＥＬ２（第２コモンセレクタＣＳ２及び第４コモンセレクタＣＳ４）は、非表示期間ＮＤＴにおいて、ハイ状態「Ｈ」と、ロー状態「Ｌ」と、を交互に繰り返す。このハイ状態「Ｈ」とロー状態「Ｌ」との電圧、すなわち、タッチ検出用パルス信号が、第１コモン線Ｃｌ１に印加される。そして、検出線ＲＬ（図７では図示しない）と、第１コモン線Ｃｌ１と、により、例えば、タッチ入力が検出される。このとき、第１〜第３信号線Ｓｌ１〜Ｓｌ３は、第１コモン線Ｃｌ１と同じ電位に設定されている。
【０１３４】
この例では、例えば、コモンセレクタＣＯＭ＿ＳＥＬ２のハイ状態「Ｈ」の時間は、時間ｔ４１である。コモンセレクタＣＯＭ＿ＳＥＬ２のロー状態「Ｌ」の時間は、時間ｔ４２である。非表示期間ＮＤＴの始まりと、コモンセレクタＣＯＭ＿ＳＥＬ２の最初のハイ状態「Ｈ」の始まりと、の間の時間は、時間ｔ４０である。
【０１３５】
このように、実施形態に係る表示装置１１１（表示装置１１０）においては、第２動作ＯＰ２において、以下が行われる。  
制御部６０は、以下の第１動作ＯＰ１を実施する。  
制御部６０は、表示期間ＤＴ（例えば第１表示期間ＤＴ１など）において、複数の第１配線Ｌ１のいずれか（例えば、第ｉＧａｔｅ線＜ｉ＞または第（ｉ＋１）ゲート線＜ｉ＋１＞）、を選択電位（ハイ状態「Ｈ」）に設定する。そのときに、制御部６０は、複数の第２配線Ｌ２（第１〜第３信号線Ｓｌ１〜Ｓｌ３など）に画像信号を供給する。複数のスイッチ素子１１は、選択電位が設定された第１配線Ｌ１に接続された選択スイッチ素子１１ｓｅｌを有する。複数の画素電極Ｐｘは、選択スイッチ素子１１ｓｅｌと接続された選択画素電極Ｐｘｓｅｌを有する。制御部６０は、選択画素電極Ｐｘｓｅｌを、画像信号に基づく画像電位に設定し、複数の第３配線Ｌ３のいずれかを表示対向電位ＣＯＭＤＣに設定する。これにより、表示動作が行われる。
【０１３６】
制御部６０は、以下の第２動作ＯＰ２を実施する。制御部６０は、非表示期間ＮＤＴにおいて、複数の第２配線Ｌ２の少なくともいずれかの電位を、複数の第３配線Ｌ３のいずれかの電位と同じにする。すなわち、例えば、第１〜第３信号線Ｓｌ１〜Ｓｌ３の電位を、第１コモン線Ｃｌ１の電位と同じにする。このような第２動作ＯＰ２において、例えば、第３配線Ｌ３と、第４配線Ｌ４と、を用いて、タッチ入力の検知が行われる。
【０１３７】
実施形態においては、第３配線Ｌ３が、第２配線Ｌ２に沿って延在している。そして、第２動作ＯＰにおいて、第３配線Ｌ３の電位が第２配線Ｌ２の電位と実質的に同じに設定される。このため、第３配線Ｌ３と第２配線Ｌ２との間において、容量が実質的に形成されない。または、この容量を小さくできる。例えば、第２動作ＯＰ２において、第３配線Ｌ３の負荷が大幅に減少する。例えば、第２動作ＯＰ２においてタッチ入力の検出が行われる場合、検出時間が減少でき、検出時の消費電力が低減できる。すなわち、第３配線Ｌ３と第４配線Ｌ４とを用いた検出時間が高速化できる。第３配線Ｌ３の負荷が減少する。小型の駆動ＩＣのサイズを用いて上記の駆動が実現できる。表示部の周りの額縁部の幅が低減できる。例えば、表示装置が小型化できる。
ＩＣ中でタッチ検出用パルス信号を生成し、第３配線Ｌ３に引き回した場合、駆動電圧によってはＩＣが大型化したり、コストが高くなる場合が考えられる。これに対して、ＩＣ上の第１回路部６２ａの出力をタッチ検出用パルス信号の高電圧とし、基板の額縁領域の第２回路部６２ｂにおいて、別途配線した低電圧電位線との間でパルス信号を生成するようにした。これにより、表示用の駆動ＩＣを大型化させずに、低コストで額縁領域の回路を削減することができる。
【０１３８】
実施形態においては、第２動作ＯＰ２（非表示動作）として、例えばタッチ入力の検出を行う場合においても、高い表示品位を維持できる。そして、検出時間が高速化できる。小型の駆動ＩＣを用いることができる。表示装置を小型化できる。
【０１３９】
実施形態において、第２動作ＯＰ２においては、検出が行われる。すなわち、制御部６０は、第２動作ＯＰ２において、複数の第４配線Ｌ４の少なくともいずれかと、複数の第３配線Ｌ３の少なくともいずれかと、の間に流れる電流を検知する。例えば、制御部６０は、複数の第４配線Ｌ４の少なくともいずれかに近接する物体（例えば、観視者、使用者または操作者など）による、複数の第４配線Ｌ４の少なくともいずれかと、複数の第３配線Ｌ３の少なくともいずれかと、の間の容量の変化に基づく電流の変化を検出する。
【０１４０】
実施形態において、第２動作ＯＰ２は、非表示動作が行われる。例えば、第２動作ＯＰ２において、装置の少なくとも一部において生じるノイズを測定しても良い。ノイズの測定結果に基づいて、例えば、表示動作を調整することで、高品位の表示を提供できる。
【０１４１】
実施形態に係る表示装置１１１（表示装置１１０）においては、制御部６０は、表示対向電位線ＣＯＭｌと、ソース回路（例えば第１ソース回路ＳＣ１）と、セレクタスイッチＳＥＬ＿ＳＷと、コモンセレクタＣＯＭ＿ＳＥＬ（第１〜第５コモンセレクタＣＳ１〜ＣＳ５など）と、を含む。
【０１４２】
第１動作ＯＰ１において、セレクタスイッチＳＥＬ＿ＳＷは、ソース回路（例えば、第１ソース回路ＳＣ１）と、複数の第２配線Ｌ２のそれぞれと、を電気的に接続する。そして、コモンセレクタＣＯＭ＿ＳＥＬは、表示対向電位線ＣＯＭｌと、複数の第３配線Ｌ３のそれぞれと、を電気的に接続する。この状態において、複数の第１配線Ｌ１を順次操作して、複数の第２配線Ｌ２に画像信号を供給して、所望の表示を行う。
【０１４３】
一方、第２動作ＯＰ２において、セレクタスイッチＳＥＬ＿ＳＷは、ソース回路を複数の第２配線Ｌ２のそれぞれと電気的に遮断する。コモンセレクタＣＯＭ＿ＳＥＬは、複数の第３配線Ｌ３の少なくともいずれかと、複数の第２配線Ｌ２の少なくともいずれかと、を電気的に接続する。この状態で、例えば、第３配線Ｌ３と第４配線Ｌ４とを用いて検出が行われる。例えば、ノイズの測定を行っても良い。
【０１４４】
（第２の実施形態）  
図８は、第２の実施形態に係る表示装置を例示する模式図である。  
図８は、本実施形態に係る表示装置１１２の一部を例示している。図８に例示した以外の部分は、表示装置１１０に関して説明した構成が適用される。
【０１４５】
図８に表したように、複数の第２配線Ｌ２は、第１信号線Ｓｌ１と、第２信号線Ｓｌ２と、を含む。複数の第３配線Ｌ３は、第１コモン線Ｃｌ１を含む。
【０１４６】
制御部６０は、表示対向電位線ＣＯＭｌと、検知信号線ＴＳＶＣＯＭと、基準電位線ＳＶ０１と、基準電位線ＳＶ０２と、第１コモン線用セレクタＳＥＳと、第１ソース回路ＳＣ１と、第１ソーススイッチＳＳ１と、第２ソース回路ＳＣ２と、第２ソーススイッチＳＳ２と、第１信号線スイッチＳｌＳ１と、第２信号線スイッチＳｌＳ２と、第１〜第４コモンセレクタＣＳ１〜ＣＳ４と、を含む。基準電位線ＳＶ０２は、基準電位線ＳＶ０１とは異なる電位線である。
【０１４７】
図８では、第２配線Ｌ２と第３配線Ｌ３とは、信号線スイッチと、コモンセレクタと、コモン線用セレクタとを介して接続されている。
【０１４８】
表示対向電位線ＣＯＭｌは、表示対向電位ＣＯＭＤＣに設定される。  
検知信号線ＴＳＶＣＯＭには、例えば、検知信号が入力される。  
基準電位線ＳＶ０１は、基準電位（例えば接地電位など、ローレベルの電位）に設定される。基準電位線ＳＶ０２は、例えばハイレベルの電位に設定される。検知信号は、例えば、異なる２つの電圧から生成される、タッチ検出用パルス信号である。
【０１４９】
第１コモン線用セレクタＳＥＳは、第１制御端子ＳＥａと、第２制御端子ＳＥｂと、を有する。第１制御端子ＳＥａは、制御信号を受ける。第２制御端子ＳＥｂは、制御信号の反転の信号を受ける。第１コモン線用セレクタＳＥＳは、制御信号に応じて、第１コモン線Ｃｌ１を、表示対向電位線ＣＯＭｌ及び検知信号線ＴＳＶＣＯＭのいずれかに接続する。
【０１５０】
第１ソース回路ＳＣ１は、画像信号の一部の信号を出力可能である。  
第１ソーススイッチＳＳ１の一端は、第１ソース回路ＳＣ１と電気的に接続可能である。
【０１５１】
第２ソース回路ＳＣ１は、画像信号のうちの、上記の一部の信号とは異なる信号を出力可能である。  
第２ソーススイッチＳＳ２の一端は、第２ソース回路ＳＣ２と電気的に接続可能である。
【０１５２】
第１信号線スイッチＳｌＳ１の一端は、第１信号線Ｓｌ１と電気的に接続される。第１信号線スイッチＳｌＳ１の他端は、第１ソーススイッチＳＳ１の他端と電気的に接続される。  
第２信号線スイッチＳｌＳ２の一端は、第２信号線Ｓｌ２と電気的に接続される。第２信号線スイッチＳｌＳ２の他端は、第２ソーススイッチＳＳ２の他端と電気的に接続される。
【０１５３】
第１コモンセレクタＣＳ１の一端は、第１信号線Ｓｌ１と電気的に接続される。第１コモンセレクタＣＳ１の他端は、第１コモン線Ｃｌ１と電気的に接続される。
【０１５４】
第２コモンセレクタＣＳ２の一端は、第１制御端子ＳＥａと電気的に接続される。第２コモンセレクタＣＳ２は、第１制御端子ＳＥａを、第１ソーススイッチＳＳ１の他端、及び、基準電位線ＳＶ０１のいずれかと電気的に接続する。
【０１５５】
第３コモンセレクタＣＳ３の一端は、第２信号線Ｓｌ２と電気的に接続される。第３コモンセレクタＣＳ３の他端は、第１コモン線Ｃｌ１と電気的に接続される。
【０１５６】
第４コモンセレクタＣＳ４の一端は、第２制御端子ＳＥｂと電気的に接続される。第４コモンセレクタＣＳ４は、第２制御端子ＳＥｂを、第２ソーススイッチＳＳ２の他端、及び、基準電位線ＳＶ０２のいずれかと電気的に接続する。
【０１５７】
この例では、第１コモン線用セレクタＳＥＳは、第１伝送ゲートＴＳ１と、第２伝送ゲートＴＳ２と、を含む。第１伝送ゲートＴＳ１の一端は、第１コモン線Ｃｌ１と接続される。第１伝送ゲートＴＳ１の他端は、表示対向電位線ＣＯＭｌと接続される。第２伝送ゲートＴＳ２の一端は、第１コモン線Ｃｌ１と接続される。第２伝送ゲートＴＳ２の他端は、検知信号線ＴＳＶＣＯＭと接続される。第１伝送ゲートＴＳ１の負極性ゲートは、第２伝送ゲートＴＳ２の正極性ゲートと接続される。第１伝送ゲートＴＳ１の正極性ゲートは、第２伝送ゲートＴＳ２の負極性ゲートと接続される。これらのゲートの一方が、第１制御端子ＳＥａとなる。これらのゲートの他方が、第２制御端子ＳＥｂとなる。
【０１５８】
図８は、表示装置１１２における第１動作ＯＰ１（表示動作）を例示している。  
第１動作ＯＰ１においては、第１ソース回路ＳＣ１は、画像信号の一部の信号を出力する。第２ソース回路ＳＣ２は、上記の一部の信号とは異なる信号を出力する。
【０１５９】
第１ソーススイッチＳＳ１の一端は、第１ソース回路ＳＣ１と電気的に接続される。  
第２ソーススイッチＳＳ２の一端は、第２ソース回路ＳＣ２と電気的に接続される。  
第１信号線スイッチＳｌＳ１は、第１信号線Ｓｌ１と、第１ソーススイッチＳＳ１の他端（第１信号出力ＤＤＩ−ＯＵＴ１）と、を電気的に接続する。  
第２信号線スイッチＳｌＳ２は、第２信号線Ｓｌ２と、第２ソーススイッチＳＳ２の他端（第２信号出力ＤＤＩ−ＯＵＴ２）と、を電気的に接続する。  
第１コモンセレクタＣＳ１は、第１信号線Ｓｌ１を第１コモン線Ｃｌ１と電気的に遮断する。  
第２コモンセレクタＣＳ２は、第１制御端子ＳＥａを基準電位線ＳＶ０１と電気的に接続する。  
第３コモンセレクタＣＳ３は、第２信号線Ｓｌ３を第１コモン線Ｃｌ１と電気的に遮断する。  
第４コモンセレクタＣＳ４は、第２制御端子ＳＥｂを基準電位線ＳＶ０２と電気的に接続する。  
これにより、第１信号線Ｓｌ１及び第２信号線Ｓｌ２に対応する画素３５において、所望の表示が行われる。他の画素３５においても、同様の動作が行われる。
【０１６０】
この例では、第２コモンセレクタＣＳ２は、第１スイッチＣＳ２ａと、第２スイッチＣＳ２ｂと、を含む。第１スイッチＣＳ２ａの一端は、第１制御端子ＳＥａと接続される。第１スイッチＣＳ２ａの他端は、第１ソーススイッチＳＳ１の他端（第１信号出力ＤＤＩ−ＯＵＴ１）と接続される。第２スイッチＣＳ２ｂの一端は、第１制御端子ＳＥａと接続される。第２スイッチＣＳ２ｂの他端は、基準電位線ＳＶ０１と接続される。
【０１６１】
第４コモンセレクタＣＳ４は、第３スイッチＣＳ４ａと、第４スイッチＣＳ４ｂと、を含む。第３スイッチＣＳ４ａの一端は、第２制御端子ＳＥｂと接続される。第３スイッチＣＳ４ａの他端は、第２ソーススイッチＳＳ２の他端（第２信号出力ＤＤＩ−ＯＵＴ２）と接続される。第４スイッチＣＳ４ｂの一端は、第４制御端子ＳＥｂと接続される。第４スイッチＣＳ４ｂの他端は、基準電位線ＳＶ０２と接続される。
【０１６２】
第１スイッチＣＳ２ａ及び第３スイッチＣＳ４ａは、コモンセレクタＣＯＭ＿ＳＥＬの信号により制御される。第２スイッチＣＳ２ｂ及び第４スイッチＣＳ４ｂは、反転コモンセレクタ信号ｘＣＯＭ＿ＳＥＬの信号により制御される。反転コモンセレクタ信号ｘＣＯＭ＿ＳＥＬの信号は、コモンセレクタＣＯＭ＿ＳＥＬの信号の反転信号である。
【０１６３】
一方、第１コモンセレクタＣＳ１及び第３コモンセレクタＣＳ３は、コモンセレクタＣＯＭ＿ＳＥＬの信号により制御される。  
これにより、上記の第１動作ＯＰ１が実施される。表示装置１１２における第１動作ＯＰ１のタイミングチャートは、図５に関して説明した構成、及び、その変形を用いることができるので、説明を省略する。
【０１６４】
図９は、第２の実施形態に係る表示装置を例示する模式図である。  
図９は、表示装置１１２の第２動作ＯＰ２（非表示動作）の状態を例示している。この例では、第２動作ＯＰ２では、検出動作が行われる。
【０１６５】
図９に表したように、第２動作ＯＰ２において、制御部６０において、以下の動作が行われる。  
第１ソース回路ＳＣ１は、第１電圧（ハイレベル電圧）を出力する。第２ソース回路ＳＣ２は、第２電圧（ローレベル電圧）を出力する。第２電圧は、第１電圧よりも低い。
第１電圧と第２電圧とは、ソース回路のソースアンプから出力することができ、これらの電圧の出力を用いて、第１回路部６２ａは、第３配線Ｌ３への検知信号の印加を制御する。
【０１６６】
第１ソーススイッチＳＳ１の一端は、第１ソース回路ＳＣ１と電気的に接続される。  
第２ソーススイッチＳＳ２の一端は、第２ソース回路ＳＣ２と電気的に接続される。  
第１信号線スイッチＳｌＳ１は、第１信号線Ｓｌ１を第１ソーススイッチＳＳ１の他端と電気的に遮断する。  
第２信号線スイッチＳｌＳ２は、第２信号線Ｓｌ２を第２ソーススイッチＳＳ２の他端と電気的に遮断する。
【０１６７】
第１コモンセレクタＣＳ１は、第１信号線Ｓｌ１と、第１コモン線Ｃｌ１と、を電気的に接続する。  
第２コモンセレクタＣＳ２は、第１制御端子ＳＥａを、第１ソーススイッチＳＳ１の他端と電気的に接続する。  
第３コモンセレクタＣＳ３は、第２信号線Ｓｌ２と、第１コモン線Ｃｌ１と、を電気的に接続する。  
第４コモンセレクタＣＳ４は、第２制御端子ＳＥｂを、第２ソーススイッチＳＳ２の他端と電気的に接続する。
【０１６８】
例えば、検知信号線ＴＳＶＣＯＭの検知信号は、高電位と、その高電位よりも低い低電位と、を繰り返すパルス信号を含む。このパルス信号を用いて、第１コモン線Ｃｌ１（第３配線Ｌ３）と、第４配線Ｌ４と、の間に流れる電流（容量）が検出される。これにより、例えば、タッチ入力が検出される。
【０１６９】
図１０は、第２の実施形態に係る表示装置の動作を例示する模式図である。  
図１０は、表示装置１１２における、第２動作ＯＰ２の第１の状態を例示している。第１の状態においては、検出動作において、第１コモン線Ｃｌ１が、選択状態である。すなわち、第１コモン線ＣＬ１が、選択ブロックに対応する。図１０は、図９と同じである。第１の状態においては、図９に関して説明した動作が行われる。
【０１７０】
図１１は、第２の実施形態に係る表示装置の別の動作を例示する模式図である。  
図１１は、表示装置１１２における、第２動作ＯＰ２の第２の状態を例示している。第２の状態においては、検出動作において、第１コモン線Ｃｌ１が、非選択状態である。すなわち、第１コモン線ＣＬ１が、非選択ブロックに対応する。第２の状態は、第１の状態とは異なる状態である。
【０１７１】
第２の状態において以下が実施される。  
第１ソース回路ＳＣ１は、第１電圧を出力する。第２ソース回路ＳＣ２は、第１電圧よりも低い第２電圧を出力する。  
第１ソーススイッチＳＳ１の一端は、第２ソース回路ＳＣ２と電気的に接続される。  
第２ソーススイッチＳＳ２の一端は、第１ソース回路ＳＣ１と電気的に接続される。  
この他は、図９に関して説明した動作が実施される。
【０１７２】
表示装置１１２においても、以下の動作が実施可能である。  
第１動作ＯＰ１において、セレクタスイッチＳＥＬ＿ＳＷは、ソース回路（例えば、第１ソース回路ＳＣ１）と、複数の第２配線Ｌ２のそれぞれと、を電気的に接続する。そして、コモンセレクタＣＯＭ＿ＳＥＬは、表示対向電位線ＣＯＭｌと、複数の第３配線Ｌ３のそれぞれと、を電気的に接続する。この状態において、複数の第１配線Ｌ１を順次操作して、複数の第２配線Ｌ２に画像信号を供給して、所望の表示を行う。
【０１７３】
一方、第２動作ＯＰ２において、セレクタスイッチＳＥＬ＿ＳＷは、ソース回路を複数の第２配線Ｌ２のそれぞれと電気的に遮断する。コモンセレクタＣＯＭ＿ＳＥＬは、複数の第３配線Ｌ３の少なくともいずれかと、複数の第２配線Ｌ２の少なくともいずれかと、を電気的に接続する。この状態で、例えば、第３配線Ｌ３と第４配線Ｌ４とを用いて検出が行われる。例えば、ノイズの測定を行っても良い。
【０１７４】
本実施形態に係る表示装置１１２においても、第３配線Ｌ３が、第２配線Ｌ２に沿って延在している。そして、第２動作ＯＰにおいて、第３配線Ｌ３の電位が第２配線Ｌ２の電位と実質的に同じに設定される。このため、第３配線Ｌ３と第２配線Ｌ２との間において、容量が実質的に形成されない。または、この容量を小さくできる。例えば、第２動作ＯＰ２において、第３配線Ｌ３の負荷が大幅に減少する。例えば、第２動作ＯＰ２において、第３配線Ｌ３の負荷が大幅に減少する。例えば、第２動作ＯＰ２においてタッチ入力の検出が行われる場合、検出時間が減少でき、検出時の消費電力が低減できる。第３配線Ｌ３と第４配線Ｌ４とを用いた検出時間が高速化できる。第３配線Ｌ３の負荷が減少する。小型の駆動ＩＣにより上記の駆動が実現できる。表示部の周りの額縁部の幅が低減できる。例えば、表示装置が小型化できる。
【０１７５】
表示装置１１２においては、表示装置１１１に比べて、第１検知電位スイッチＳＶＳ１および検知電位線が省略されている。これにより、ソースアンプのＩＣ（第１回路部６２ａ）が小型化できる。コストが低減できる。一方、表示装置１１１は、表示装置１１２に比べて、第２回路部６２ｂの構成が簡単である。これにより、例えば、第１基板１０のサイズが小さくできる。
また、ソースアンプを用いて駆動するコモン線ＣＬを選択できるので、ドライバ回路を省略できるとともに、部分スキャンや間引きスキャンなど任意の駆動が可能となる。
【０１７６】
本実施形態においては、例えば、タッチ動作において、第１回路部６２aの出力は、スイッチの制御のみに使用し、タッチ検出用パルス信号は、第２回路部６２ｂ内の配線から供給する。このため、駆動ＩＣの耐圧を超えた振幅の信号を第３配線Ｌ３に供給することができる。すなわち、検知用信号線ＴＳＶＯＣＭを高い（大きな）振幅で振幅させても良い。その結果、タッチ動作用の信号の改善が可能になる。例えば、表示装置１１１においては、第３配線Ｌ３に供給される信号（すなわち、検知用信号線ＴＳＶＣＯＭに供給される信号）の電圧は、駆動ＩＣの耐圧に制限される。例えば、駆動ＩＣの耐圧が±６Ｖ程度であるときに、検知用信号線ＴＳＶＣＯＭの電圧（振幅）は、１０Ｖ程度にすることができる。
【０１７７】
図１２は、第２の実施形態に係る表示装置の動作を例示する模式図である。  
図１２は、表示装置１１２における第２動作ＯＰ２のタイミングチャートを例示している。
【０１７８】
図１２に表したように、第２動作ＯＰ２（非表示期間ＮＤＴ）において、例えば、第１ソーススイッチＳＳ１の他端（第１信号出力ＤＤＩ−ＯＵＴ１）は、ハイレベル状態「Ｈ」であり、第２ソーススイッチＳＳ２の他端（第２信号出力ＤＤＩ−ＯＵＴ２）は、ローレベル状態「Ｌ」である。信号ＳＥＬ１は、ロー状態Ｌであり、信号ＳＥｌ２は、ハイ状態Ｈである。コモンセレクタＣＯＭ＿ＳＥＬは、時間ｔ３９において、ハイ状態Ｈである。検知信号線ＴＳＶＣＯＭの検知信号は、高電位と低電位とを繰り返す信号を含む。これにより、上記の動作が行われる。
【０１７９】
（第３の実施形態）  
図１３は、第３の実施形態に係る表示装置を例示する模式図である。  
図１３は、表示装置１１３の一部を例示している。図１３に例示した以外の部分は、表示装置１１０に関して説明した構成が適用される。
【０１８０】
図１３に表したように、この例では、接地電位スイッチＳＶＳＧが設けられている。接地電位スイッチＳＶＳＧの一端は、第１検知電位スイッチＳＶＳ１の他端に接続される。接地電位スイッチＳＶＳＧの他端は、例えば、接地電位ＧＮＤに接続される。
また、接地電位ＧＮＤは、接地電位ＧＮＤと異なる電位（タッチ動作電位ＴＰＨ）の検知電位線ＳＶｌに接続され、図４に関して説明したコモンセレクタＣＯＭ＿ＳＥＬ２と同様の制御回路に接続される。これにより、タッチ検出用パルス信号が生成されるようになっている。
図１３は、表示装置１１３における第１動作ＯＰ１を例示している。
【０１８１】
図１４は、第３の実施形態に係る表示装置を例示する模式図である。  
図１４は、表示装置１１４における第２動作ＯＰ２を例示している。  
表示装置１１３においても、表示装置１１１及び１１２に関して説明した動作と同様の動作が実施可能である。
【０１８２】
表示装置１１３においても、第３配線Ｌ３が、第２配線Ｌ２に沿っている。これにより、容量を小さくでき、検出時間を減少でき、検出時の消費電力が低減できる。小型の駆動ＩＣを用いることができる。第１回路部６２ａの内部でタッチ検出用パルス信号を生成するようにしたので、表示部の周りの額縁部の幅が低減できる。第１回路部６２aを用いて駆動する第３配線Ｌ３を選択するので、間引きスキャンや部分スキャンが可能となる。  
第１〜第３の実施形態は、表示装置の駆動方法として実施しても良い。
【０１８３】
（第４の実施形態）  
図１５は、第４の実施形態に係る表示装置の一部を例示する模式的断面図である。  
図１５に表したように、本実施形態に係る表示装置１１４においては、カラーフィルタ層２５と、複数の第５配線Ｌ５と、がさらに設けられる。これ以外は、表示装置１１０〜１１３に関して説明した構成が適用できる。
【０１８４】
カラーフィルタ層２５は、赤色フィルタ層ＲＦと、緑色フィルタ層ＧＦと、青色フィルタ層ＢＦと、を含む。
【０１８５】
カラーフィルタ層２５は、第１境界部ｐ１と、第２境界部ｐ２と、第３境界部ｐ３と、を有する。第１境界部ｐ１は、赤色フィルタ層ＲＦと緑色フィルタ層ＧＦとの間の境界部である。第２境界部ｐ２は、緑色フィルタ層ＧＦと青色フィルタ層ＢＦとの間の境界部である。第３境界部ｐ３は、青色フィルタ層ＢＦと赤色フィルタ層ＲＦとの間の境界部である。
【０１８６】
複数の第５配線Ｌ５は、第２方向Ｄ２（例えば、Ｙ軸方向）に延在する。複数の第５配線Ｌ５のそれぞれは、複数の第３配線Ｌ３のいずれかに電気的に接続されている。複数の第５配線Ｌ５のそれぞれの電気抵抗は、複数の第３配線Ｌ３のそれぞれの電気抵抗よりも低い。第５配線Ｌ５は、第３配線Ｌ３の補助配線となる。
【０１８７】
既に説明したように、第３配線Ｌ３として、光透過性の導電材料が用いられる。一方、第５配線Ｌ５には、低抵抗の材料（金属など）が用いられる。これにより、第３配線Ｌ３の実効的な抵抗が低減できる。クロストークの発生が抑制できる例えば、タッチ動作の性能が向上でき、表示性能が改善する。
【０１８８】
この例では、複数の第５配線Ｌ５は、Ｘ−Ｙ平面に投影したときに、第１境界部ｐ１または第２境界部ｐ２と重なる。第５配線Ｌ５は、第３境界部ｐ３とは重ならなくても良い。
【０１８９】
図１５に例示したように、遮光層２７（例えばブラックマトリクス）をさらに設けても良い。遮光層２７は、Ｘ−Ｙ平面に投影したときに、第１境界部ｐ１、第２境界部ｐ２及び第３境界部ｐ３のそれぞれと重なる部分を有する。これにより、光漏れがさらに抑制でき、より高品位の表示が得られる。
【０１９０】
遮光層２７には、クロムまたはクロム化合物などが用いられる。遮光層２７として、黒色の樹脂を用いても良い。遮光層２７として、赤色フィルタ層ＲＦと、緑色フィルタ層ＧＦと、青色フィルタ層ＢＦと、の少なくとも２つを積層した積層膜を用いても良い。
【０１９１】
第１〜第３の実施形態に関して説明した構成及び動作と、第４の実施形態と組み合わせても良い。
【０１９２】
実施形態によれば、高品位の表示装置が提供できる。
【０１９３】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０１９４】
以上、具体例を参照しつつ、本発明の実施の形態について説明した。しかし、本発明は、これらの具体例に限定されるものではない。例えば、表示装置に含まれる配線、スイッチ素子、表示層、絶縁層、制御部、スイッチ、セレクタ及び回路などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１９５】
本発明の実施の形態として上述した表示装置を基にして、当業者が適宜設計変更して実施し得る全ての表示装置も、本発明の要旨を包含する限り、本発明の範囲に属する。
【０１９６】
本発明の思想の範疇において、当業者であれば、各種の変更例及び修正例に想到し得るものであり、それら変更例及び修正例についても本発明の範囲に属するものと了解される。  
例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０１９７】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１９８】
１ｓｅｌ、２ｓｅｌ…画像信号、  １０…第１基板、  １０ｕ…第１基板部、  １１…スイッチ素子、  １１ｇ…ゲート、  １１ｉ…ゲート絶縁膜、  １１ｓｅｌ…選択スイッチ素子、  １２…半導体層、  １２ａ…第１部分、  １２ｂ…第２部分、  １２ｃ…第３部分、  １３…層間絶縁膜、  １５ａ…第１接続部、  １５ｂ…第２接続部、  １５ｃ…第１接続導電部、  １５ｄ…第２接続導電部、  １７…第３接続導電部、  １８…第１配向膜、  ２０…第２基板、  ２０ｕ…第２基板部、  ２５…カラーフィルタ層、  ２７…遮光層、  ２８…第２配向膜、  ３０…表示層、  ３５…画素、  ３５ａ…第１色画素、  ３５ｂ…第２色画素、  ５１…第１偏光層、  ５２…第２偏光層、  ５５…バックライト部、  ６０…制御部、  ６１…第１駆動回路、  ６２…第２駆動回路、  ６２ａ…第１回路部（表示駆動集積回路）、  ６２ｂ…第２回路部、  ６２ｃ…第３回路部、  ６３…制御回路、  ６５…検出回路、  １１０〜１１４…表示装置、  ２１０…駆動装置、  ＢＦ…青色フィルタ層、  ＣＬ…コモン線、  ＣＬ１、ＣＬ２、ＣＬＮ…コモン線、  ＣＯＭ＿ＳＥＬ…コモンセレクタ、  ＣＯＭＤＣ…表示対向電位、  ＣＯＭｌ…表示対向電位線、  ＣＳ１〜ＣＳ５…第１〜第５コモンセレクタ、  ＣＳ２ａ…第１スイッチ、  ＣＳ２ｂ…第２スイッチ、  ＣＳ４ａ…第３スイッチ、  ＣＳ４ｂ…第４スイッチ、  Ｃｌ１…第１コモン線、  Ｃｓ…蓄積容量、  Ｄ１〜Ｄ５…第１〜第５方向、  ＤＤＩ−ＯＵＴ…信号、  ＤＤＩ−ＯＵＴ１、ＤＤＩ−ＯＵＴ２…第１、第２信号出力、  ＤＴ…表示期間、  ＤＴ１、ＤＴ２…第１、第２表示期間、  Ｇ３…間隙、  ＧＦ…緑色フィルタ層、  ＧＬ…ゲート線、  ＧＬ１、ＧＬ２、ＧＬｎ…ゲート線、  ＧＮＤ…接地電位、  Ｇａｔｅ…ゲート線、  Ｉ１、Ｉ２…第１、第２絶縁層、  Ｌ１〜Ｌ５…第１〜第５配線、  ＮＤＴ…非表示期間、  ＮＳ…非選択状態、  ＯＰ１、ＯＰ２…第１、第２動作、  Ｐｘ…画素電極、  Ｐｘａ、Ｐｘｂ…第１、第２色画素電極、  Ｐｘｓ…部分、  Ｐｘｓｅｌ…選択画素電極、  ＲＦ…赤色フィルタ層、  ＲＬ…検出線、  ＲＬ１、ＲＬ２、ＲＬＭ…検出線、  ＳＣ１、ＳＣ２…第１、第２ソース回路、  ＳＥ…選択状態、  ＳＥＬ＿ＳＷ…セレクタスイッチ、  ＳＥＬ１、ＳＥＬ２…信号、  ＳＥＳ…コモン線用セレクタ、  ＳＥａ…第１制御端子、  ＳＥｂ…第２制御端子、  ＳＬ…信号線、  ＳＬ１、ＳＬ２、ＳＬｍ…信号線、  ＳＬａ、ＳＬｂ…第１、第２色配線、  ＳＳ１、ＳＳ２…第１、第２ソーススイッチ、  ＳＶ０１、ＳＶ０２…基準電位線、  ＳＶＳ１…検知電位スイッチ、  ＳＶＳＧ…接地電位スイッチ、  ＳＶｌ…検知電位線、  Ｓｌ１、Ｓｌ２、Ｓｌ３…第１、第２、第３信号線、  ＳｌＳ１、ＳｌＳ２、ＳｌＳ３…第１、第２、第３信号線スイッチ、  ＴＰＨ…タッチ動作電位、  ＴＳ１、ＴＳ２…第１、第２伝送ゲート、  ＴＳＶＣＯＭ…検知信号線、  Ｕｆ…上面、  ｐ１〜ｐ３…第１〜第３境界部、  ｔ１、ｔ１２、ｔ１３、ｔ２、ｔ３、ｔ３１、ｔ３８、ｔ３９、ｔ４、ｔ４０、ｔ４１、ｔ４２、ｔ５、ｔ６、ｔ７…時間、  ｘＣＯＭ＿ＳＥＬ…反転コモンセレクタ信号
【図１】
2015172724.tif 000003
【図２】
2015172724.tif 000004
【図３】
2015172724.tif 000005
【図４】
2015172724.tif 000006
【図５】
2015172724.tif 000007
【図６】
2015172724.tif 000008
【図７】
2015172724.tif 000009
【図８】
2015172724.tif 000010
【図９】
2015172724.tif 000011
【図１０】
2015172724.tif 000012
【図１１】
2015172724.tif 000013
【図１２】
2015172724.tif 000014
【図１３】
2015172724.tif 000015
【図１４】
2015172724.tif 000016
【図１５】
2015172724.tif 000017